(57)【特許請求の範囲】
【請求項１】
セル変更をハンドリングするためのユーザ機器（１０１）における方法であって、前記ユーザ機器は無線通信ネットワーク（１００）に含まれ、前記方法は、
少なくとも１回の測位測定を実行すること（４１）と、
ネットワークノード（１０３，１１３，１１５）から、第１のセルから第２のセルへの前記セル変更の通知及び当該セル変更に関連付けられる情報を受信すること（４３）と、
前記少なくとも１回の測位測定の間に、前記セル変更を実行すること（４５）と、
前記少なくとも１回の測位測定が実行される測定時間の時間長を変更すること（４７）と、
前記第１のセル及び前記第２のセルの関連付けられる帯域幅に基づいて、前記少なくとも１回の測位測定の測定帯域幅を変更すること（４９）と、
測定時間の変更された前記時間長と変更された前記測定帯域幅とに基づいて、前記少なくとも１回の測位測定を完了させること（５７）と、
を含む方法。
【請求項２】
前記第１のセルの前記第２のセルへの前記セル変更は、ハンドオーバ手続、セル再選択、無線リソース制御（ＲＲＣ）接続再確立、ターゲットセルへのリダイレクトを伴うＲＲＣ接続解放、マルチキャリアシステム内のプライマリコンポーネントキャリア（ＰＣＣ）と同一周波数上のプライマリセル（ＰＣｅｌｌ）の変更、マルチキャリアシステム内のＰＣＣの変更に起因するＰＣｅｌｌの変更、マルチキャリアシステム内のサービングセルセットの変更、又はマルチキャリアシステム内のアクティブセルセットの変更、のいずれかの結果である、請求項１の方法。
【請求項３】
前記第１のセルは第１の期間内のサービングセルであり、前記第２のセルは第２の期間内のサービングセルであり、前記第２の期間は前記第１の期間の時間的に後に生じる、請求項１〜２のいずれかの方法。
【請求項４】
前記セル変更に関連付けられる受信される前記情報は、実行されるべき測定のタイプ、報告のためのセル識別のタイプ、及び帯域幅情報、のいずれか１つ又は組合せを含む、請求項１〜３のいずれかの方法。
【請求項５】
前記第１のセルの前記第２のセルへの前記セル変更に関連付けられる、編集される情報を記憶すること（６３）、をさらに含み、編集される前記情報は、前記ユーザ機器により提供される、請求項１〜４のいずれかの方法。
【請求項６】
前記第１のセルの前記第２のセルへの前記変更に関連付けられる編集される前記情報は、ある期間の間前記ユーザ機器が接続され及び／若しくは滞在したセルのセルアイデンティティの順序化された若しくは順序化されていないリスト、並びに／又はセル情報、を含むユーザ機器の軌跡情報を含み、前記セル情報は、各サービングセルのキャリア周波数、システム帯域幅、測定帯域幅及び／又はセルタイプを含む、請求項５の方法。
【請求項７】
編集される前記情報をネットワークノード又は他のユーザ機器へ送信すること（６５）、をさらに含む、請求項５〜６のいずれかの方法。
【請求項８】
受信される前記通知及び／又は前記セル変更に関連付けられる受信される情報は、要求後に受信され、及び／又は設定に基づいて周期的に受信される、請求項１〜７のいずれかの方法。
【請求項９】
前記完了させること（５７）は、前記少なくとも１回の測位測定が進行中である間に前記少なくとも１回の測位測定において前記セル変更に関連付けられる受信される前記情報を利用すること（５９）、をさらに含む、請求項１〜８のいずれかの方法。
【請求項１０】
前記実行すること（４５）及び／又は前記少なくとも１回の測位測定を完了させること（５７）は、前記少なくとも１回の測位測定の結果にタイムスタンプを付すこと（６１）、をさらに含む、請求項１〜９のいずれかの方法。
【請求項１１】
変更される前記測定時間の時間長及び変更される前記帯域幅は、前記ユーザ機器に関連付けられる予め定義されるルールに基づく、請求項１〜１０のいずれかの方法。
【請求項１２】
変更される前記測定時間の時間長及び変更される前記帯域幅は、受信される前記通知及び／又は前記第１のセルの前記第２のセルへの前記変更に関連付けられる情報、において提供される少なくとも１つのルールに基づく、請求項１〜１１のいずれかの方法。
【請求項１３】
前記測定帯域幅を変更すること（４９）は、前記第１のセル及び前記第２のセルの前記帯域幅の最小値、並びに／又は前記第１のセル及び前記第２のセルの前記帯域幅よりも大きくない帯域幅、のうち少なくとも１つへ測定帯域幅を変更すること（５５）、をさらに含む、請求項１〜１２のいずれかの方法。
【請求項１４】
前記第１の又は第２のセルの前記帯域幅は、チャネル帯域幅又は送信帯域幅である、請求項１３の方法。
【請求項１５】
前記測定帯域幅は、測定されるべきリファレンス信号の前記帯域幅である、請求項１４の方法。
【請求項１６】
前記リファレンス信号は、測位リファレンス信号（ＰＲＳ）であり、前記測定帯域幅は、ＰＲＳ帯域幅である、請求項１５の方法。
【請求項１７】
変更される前記測定時間の前記時間長及び変更される前記測定帯域幅を基準として、前記少なくとも１回の測位測定の測定精度を調整すること（６７）、をさらに含む、請求項１〜１６のいずれかの方法。
【請求項１８】
前記少なくとも１回の測位測定は、到来観測時間差（ＯＴＤＯＡ）測位のためのリファレンス信号時間差（ＲＳＴＤ）測定、リファレンス信号受信電力（ＲＳＲＰ）、リファレンス信号受信品質（ＲＳＲＱ）、及び／又はユーザ機器受信−送信（Ｒｘ−Ｔｘ）時間差測定である、請求項１〜１７のいずれかの方法。
【請求項１９】
ユーザ機器のセル変更をハンドリングするためのネットワークノード（１０３，１１３，１１５）における方法であって、前記ネットワークノードは無線通信ネットワーク（１００）に含まれ、前記方法は、
ユーザ機器へ、少なくとも１回の測位測定を実行させるための要求を送信すること（７１）と、
前記セル変更が行われる際のユーザ機器の測定時間の時間長及び測定帯域幅を変更させるための変更指示を含む、第１のセルから第２のセルへのセル変更に関連付けられる情報を決定すること（７３）と、
前記ユーザ機器へ、前記セル変更の通知と、当該セル変更に関連付けられる情報であって変更させるための前記指示を含む前記セル変更に関連付けられる前記情報とを送信すること（７５）と、
前記ユーザ機器から、測定データを受信すること（８１）と、
を含み、
前記測定データは、測定時間の変更された前記時間長と変更された前記測定帯域幅とにわたって実行された少なくとも１回の他の測位測定の値を含み、
測定時間の変更された前記時間長及び変更された前記測定帯域幅は、前記第１のセル及び前記第２のセルに関連付けられる帯域幅に基づく、
方法。
【請求項２０】
変更させるための前記指示は、変更される前記測定時間及び／又は変更される前記測定帯域幅を決定させるための指示を含み、変更させるための前記指示は、予め定義されたルールに基づく、請求項１９の方法。
【請求項２１】
前記変更指示は、前記第１のセル及び前記第２のセルの前記帯域幅の最小値、並びに／又は前記第１のセル及び前記第２のセルの前記帯域幅よりも大きくない帯域幅、のうち少なくとも１つへ測定帯域幅を変更させるための指示を含む、請求項１９〜２０のいずれかの方法。
【請求項２２】
前記第１の又は第２のセルの前記帯域幅は、チャネル帯域幅又は送信帯域幅である、請求項２１の方法。
【請求項２３】
前記測定帯域幅は、測定されるべきリファレンス信号の前記帯域幅である、請求項２１の方法。
【請求項２４】
前記リファレンス信号は、測位リファレンス信号（ＰＲＳ）であり、前記測定帯域幅は、ＰＲＳ帯域幅である、請求項２３の方法。
【請求項２５】
前記少なくとも１回の測位測定は、到来観測時間差（ＯＴＤＯＡ）測位のためのリファレンス信号時間差（ＲＳＴＤ）測定、リファレンス信号受信電力（ＲＳＲＰ）、リファレンス信号受信品質（ＲＳＲＱ）、及び／又はユーザ機器受信−送信（Ｒｘ−Ｔｘ）時間差測定である、請求項１９〜２４のいずれかの方法。
【請求項２６】
前記第１のセルから前記第２のセルへの前記セル変更は、ハンドオーバ手続、セル再選択、無線リソース制御（ＲＲＣ）接続再確立、ターゲットセルへのリダイレクトを伴うＲＲＣ接続解放、マルチキャリアシステム内のプライマリセル／キャリアのスイッチング／変更、のうち１つによって引き起こされる、請求項１９〜２５のいずれかの方法。
【請求項２７】
受信される前記測定データに基づいて、変更される測定指示を送信すること（８３）、をさらに含む、請求項１９〜２６のいずれかの方法。
【請求項２８】
変更される前記測定指示は、変更される前記測定時間の前記時間長及び変更される前記測定帯域幅を基準として、前記少なくとも１回の測位測定の測定精度を調整させるための指示を含む、請求項２７の方法。
【請求項２９】
セル変更をハンドリングするためのユーザ機器（１０１）であって、前記ユーザ機器は無線通信ネットワーク（１００）に含まれ、前記ユーザ機器は、
少なくとも１回の測位測定を実行するように構成される測定ユニット（３１３）と、
ネットワークノード（１０３，１１３，１１５）から、第１のセルから第２のセルへの前記セル変更の通知及び当該セル変更に関連付けられる情報を受信するように構成される受信ポート（３０７）と、
前記少なくとも１回の測位測定が実行される測定時間の時間長を変更するように構成される変更ユニット（３１５）と、
を備え、
前記測定ユニット（３１３）は、前記少なくとも１回の測位測定の間に、前記セル変更を実行するように構成され、
前記変更ユニット（３１５）は、前記少なくとも１回の測位測定の測定帯域幅を変更するようにさらに構成され、前記測定時間の時間長及び前記測定帯域幅の前記変更は、前記第１のセル及び前記第２のセルの関連付けられる帯域幅に基づくものであり、
前記測定ユニット（３１３）は、測定時間の変更された前記時間長と変更された前記測定帯域幅とに基づいて、前記少なくとも１回の測位測定を完了させるようにさらに構成される、
ユーザ機器。
【請求項３０】
前記第１のセルの前記第２のセルへの前記セル変更は、ハンドオーバ手続、セル再選択、無線リソース制御（ＲＲＣ）接続再確立、ターゲットセルへのリダイレクトを伴うＲＲＣ接続解放、マルチキャリアシステム内のプライマリコンポーネントキャリア（ＰＣＣ）と同一周波数上のプライマリセル（ＰＣｅｌｌ）の変更、マルチキャリアシステム内のＰＣＣの変更に起因するＰＣｅｌｌの変更、マルチキャリアシステム内のサービングセルセットの変更、又はマルチキャリアシステム内のアクティブセルセットの変更、のいずれかの結果である、請求項２９のユーザ機器（１０１）。
【請求項３１】
前記第１のセルは第１の期間内のサービングセルであり、前記第２のセルは第２の期間内のサービングセルであり、前記第２の期間は前記第１の期間の時間的に後に生じる、請求項２９〜３０のいずれかのユーザ機器（１０１）。
【請求項３２】
前記セル変更に関連付けられる受信される前記情報は、実行されるべき測定のタイプ、報告のためのセル識別のタイプ、及び帯域幅情報、のいずれか１つ又は組合せを含む、請求項２９〜３１のいずれかのユーザ機器（１０１）。
【請求項３３】
前記第１のセルの前記第２のセルへの前記セル変更に関連付けられる、編集される情報を記憶するように構成されるメモリ（３０９）、をさらに備える、請求項２９〜３２のいずれかのユーザ機器（１０１）。
【請求項３４】
前記第１のセルの前記第２のセルへの前記変更に関連付けられる編集される前記情報は、ある期間の間前記ユーザ機器が接続され及び／若しくは滞在したセルのセルアイデンティティの順序化された若しくは順序化されていないリスト、並びに／又はセル情報、を含むユーザ機器の軌跡情報を含み、前記セル情報は、各サービングセルのキャリア周波数、システム帯域幅、測定帯域幅及び／又はセルタイプを含む、請求項３３のユーザ機器（１０１）。
【請求項３５】
編集される前記情報をネットワークノード又は他のユーザ機器へ送信するように構成される送信ポート（３０８）、をさらに備える、請求項３３〜３４のいずれかのユーザ機器（１０１）。
【請求項３６】
受信される前記通知及び／又は前記セル変更に関連付けられる受信される情報は、要求後に受信され、及び／又は設定に基づいて周期的に受信される、請求項２９〜３５のいずれかのユーザ機器（１０１）。
【請求項３７】
前記測定ユニット（３１３）は、前記少なくとも１回の測位測定が進行中である間に前記少なくとも１回の測位測定を完了させるにあたって前記セル変更に関連付けられる受信される前記情報を利用するように構成される、請求項２９〜３６のいずれかのユーザ機器（１０１）。
【請求項３８】
前記測定ユニット（３１３）は、前記少なくとも１回の測位測定の結果にタイムスタンプを付すようにさらに構成される、請求項２９〜３７のいずれかのユーザ機器（１０１）。
【請求項３９】
前記変更ユニット（３１５）は、前記測定時間及び／又は前記測定帯域幅の前記変更を、前記ユーザ機器に関連付けられる予め定義されるルールに基づいて決定するようにさらに構成される、請求項２９〜３８のいずれかのユーザ機器（１０１）。
【請求項４０】
前記変更ユニット（３１５）は、前記測定時間及び／又は前記測定帯域幅の前記変更を、受信される前記通知及び／又は前記第１のセルの前記第２のセルへの前記変更に関連付けられる情報、において提供される少なくとも１つのルールに基づいて決定するように更に構成される、請求項２９〜３９のいずれかのユーザ機器（１０１）。
【請求項４１】
前記変更ユニット（３１５）は、前記第１のセル及び前記第２のセルの前記帯域幅の最小値、並びに／又は前記第１のセル及び前記第２のセルの前記帯域幅よりも大きくない帯域幅、のうち少なくとも１つへ測定帯域幅を変更するようにさらに構成される、請求項２９〜４０のいずれかのユーザ機器（１０１）。
【請求項４２】
前記第１の又は第２のセルの前記帯域幅は、チャネル帯域幅又は送信帯域幅である、請求項４１のユーザ機器（１０１）。
【請求項４３】
前記測定帯域幅は、測定されるべきリファレンス信号の前記帯域幅である、請求項４２のユーザ機器（１０１）。
【請求項４４】
前記リファレンス信号は、測位リファレンス信号（ＰＲＳ）であり、前記測定帯域幅は、ＰＲＳ帯域幅である、請求項４３のユーザ機器（１０１）。
【請求項４５】
前記変更ユニット（３１５）は、変更される前記測定時間の前記時間長及び変更される前記測定帯域幅を基準として、前記少なくとも１回の測位測定の測定精度を調整するようにさらに構成される、請求項２９〜４４のいずれかのユーザ機器（１０１）。
【請求項４６】
前記少なくとも１回の測位測定は、到来観測時間差（ＯＴＤＯＡ）測位のためのリファレンス信号時間差（ＲＳＴＤ）測定、リファレンス信号受信電力（ＲＳＲＰ）、リファレンス信号受信品質（ＲＳＲＱ）、及び／又はユーザ機器受信−送信（Ｒｘ−Ｔｘ）時間差測定である、請求項２９〜４５のいずれかのユーザ機器（１０１）。
【請求項４７】
前記ネットワークノードは、基地局（１０３）、セキュアユーザプレーンロケーションプラットフォーム（ＳＬＰ）（１１３）、又は拡張サービングモバイルロケーションセンタ（１１５）である、請求項２９〜４６のいずれかのユーザ機器（１０１）。
【請求項４８】
ユーザ機器のセル変更をハンドリングするためのネットワークノード（１０３，１１３，１１５）であって、前記ネットワークノードは無線通信ネットワーク（１００）に含まれ、前記ネットワークノードは、
ユーザ機器へ、少なくとも１回の測位測定を実行させるための要求を送信するように構成される送信ポート（２０８）と、
第１のセルから第２のセルへのセル変更が行われる際のユーザ機器の測定時間の時間長及び測定帯域幅を変更させるための指示を決定するように構成される変更ユニット（２１３）と、
前記ユーザ機器から、測定データを受信するように構成される受信ポート（２０７）と、
を備え、
前記送信ポート（２０８）は、前記ユーザ機器へ、前記セル変更の通知と、当該セル変更に関連付けられる情報であって変更させるための前記指示を含む前記情報とを送信するようにさらに構成され、
前記測定データは、測定時間の変更された時間長と変更された測定帯域幅とにわたって実行された少なくとも１回の他の測位測定の値を含み、
測定時間の変更された前記時間長及び変更された前記測定帯域幅は、前記第１のセル及び前記第２のセルに関連付けられる帯域幅に基づく、
ネットワークノード。
【請求項４９】
前記変更は、予め定義されたルールに基づいて、変更される前記測定時間及び／又は変更される前記測定帯域幅を決定させるための指示をさらに含む、請求項４８のネットワークノード（１０３，１１３，１１５）。
【請求項５０】
前記変更させるための指示は、前記第１のセル及び前記第２のセルの前記帯域幅の最小値、並びに／又は前記第１のセル及び前記第２のセルの前記帯域幅よりも大きくない帯域幅、のうち少なくとも１つへ測定帯域幅を変更させるための指示をさらに含む、請求項４８〜４９のいずれかのネットワークノード（１０３，１１３，１１５）。
【請求項５１】
前記第１の又は第２のセルの前記帯域幅は、チャネル帯域幅又は送信帯域幅である、請求項５０のネットワークノード（１０３，１１３，１１５）。
【請求項５２】
前記測定帯域幅は、測定されるべきリファレンス信号の前記帯域幅である、請求項５０のネットワークノード（１０３，１１３，１１５）。
【請求項５３】
前記リファレンス信号は、測位リファレンス信号（ＰＲＳ）であり、前記測定帯域幅は、ＰＲＳ帯域幅である、請求項５２のネットワークノード（１０３，１１３，１１５）。
【請求項５４】
前記少なくとも１回の測位測定は、到来観測時間差（ＯＴＤＯＡ）測位のためのリファレンス信号時間差（ＲＳＴＤ）測定、リファレンス信号受信電力（ＲＳＲＰ）、リファレンス信号受信品質（ＲＳＲＱ）、及び／又はユーザ機器受信−送信（Ｒｘ−Ｔｘ）時間差測定である、請求項４８〜５３のいずれかのネットワークノード（１０３，１１３，１１５）。
【請求項５５】
前記第１のセルから前記第２のセルへの前記セル変更は、ハンドオーバ手続、セル再選択、無線リソース制御（ＲＲＣ）接続再確立、ターゲットセルへのリダイレクトを伴うＲＲＣ接続解放、マルチキャリアシステム内のプライマリセル／キャリアのスイッチング／変更、のうち１つによって引き起こされる、請求項４８〜５４のいずれかのネットワークノード（１０３，１１３，１１５）。
【請求項５６】
前記送信ポート（２０９）は、受信される前記測定データに基づいて、変更される測定指示を送信するようにさらに構成される、請求項４８〜５５のいずれかのネットワークノード（１０３，１１３，１１５）。
【請求項５７】
変更される前記測定指示は、変更される前記測定時間の前記時間長及び変更される前記測定帯域幅を基準として、前記少なくとも１回の測位測定の測定精度を調整させるための指示をさらに含む、請求項５６のネットワークノード（１０３，１１３，１１５）。
【請求項５８】
前記ネットワークノードは、基地局（１０３）、セキュアユーザプレーンロケーションプラットフォーム（ＳＬＰ）（１１３）、又は拡張サービングモバイルロケーションセンタ（１１５）である、請求項４８〜５７のいずれかのネットワークノード（１０３，１１３，１１５）。
【発明の詳細な説明】
【技術分野】
【０００１】
ここで提示される例としての実施形態は、セル変更をハンドリングするためのユーザ機器とその中の対応する方法とを対象とする。また、ここで提示される例としての実施形態は、ユーザ機器のセル変更をハンドリングするためのネットワークノードとその中の対応する方法とを対象とする。
【背景技術】
【０００２】
［無線通信ネットワークの概要］
無線通信ネットワークともいう典型的なセルラーシステムにおいて、移動局又はユーザ機器としても知られる無線端末は、１つ以上のコアネットワークへ無線アクセスネットワーク（ＲＡＮ）を介して通信する。無線端末は、“セルラー”フォンとしても知られるモバイルフォン、及び、例えば移動終端といった無線ケイパビリティを有するラップトップなどの、移動局又はユーザ機器であって、よって例えば、無線アクセスネットワークとの間で音声及び／又はデータを通信するポータブルな、ポケット型の、手持ち型の、コンピュータ内蔵型の、又は車載型の移動デバイスであり得る。
【０００３】
無線アクセスネットワークは、複数のセルエリアに分割される地理的なエリアをカバーし、各セルエリアは、基地局、例えば無線基地局（ＲＢＳ：Radio  Base  Station）によってサービスされる。無線基地局は、“ｅＮｏｄｅＢ”又は“ノードＢ”とも呼ばれ、本文書においては基地局とも呼ばれる。セルは、基地局サイトに据え付けられる無線基地局機器によって無線カバレッジを提供される地理的なエリアである。各セルは、ローカル無線エリア内のＩＤによって識別され、当該ＩＤは、当該セルにおいてブロードキャストされる。基地局は、当該基地局のレンジ内にあるユーザ機器ユニットと、無線周波数上で動作するエアインタフェース上で通信する。
【０００４】
無線アクセスネットワークのいくつかのバージョンにおいて、複数の基地局が、典型的には、例えば地上回線又はマイクロ波によって無線ネットワークコントローラ（ＲＮＣ）に接続される。基地局コントローラ（ＢＳＣ）とも呼ばれることもある無線ネットワークコントローラは、そこに接続される複数の基地局の種々のアクティビティを、管理し及び協調させる。無線ネットワークコントローラは、典型的には、１つ以上のコアネットワークに接続される。いくつかのネットワークにおいて、無線ノード間のインタフェースも存在し、例えばそれはＬＴＥにおけるｅＮｏｄｅＢ間のＸ２インタフェースである。
【０００５】
ＵＭＴＳ（Universal  Mobile  Telecommunications  System）は、ＧＳＭ（Global  System  for  Mobile  Communications）から進化した第３世代の移動体通信システムであり、広帯域符号分割多重アクセス（ＷＣＤＭＡ：Wideband  Code  Division  Multiple  Access）というアクセス技術に基づいて、改善された移動体通信サービスを提供することが意図される。ＵＴＲＡＮ（UMTS  Terrestrial  Radio  Access  Network）は、本質的に、ユーザ機器ユニットについて広帯域符号分割多重アクセスを用いる無線アクセスネットワークである。第３世代パートナーシッププロジェクト（３ＧＰＰ）は、ＵＴＲＡＮ及びＧＳＭベースの無線アクセスネットワーク技術をさらに進化させることに取り組んでいる。ＬＴＥ（Long  Term  Evolution）は、ＥＰＣ（Evolved  Packet  Core）と共に、３ＧＰＰファミリーへの最新の追加版である。
【０００６】
無線測定は、無線通信において重要な役割を演じる。一般的なレベルでは、無線測定は、信号強度／品質測定、タイミング測定、及び他の測定、というようにカテゴリ分けされ得る。測定は、ユーザ機器及び／又は無線インタフェースを具備する無線ネットワークノードによって実行され得る。以下に、様々なカテゴリ又は無線測定及び他のネットワークの側面が、提供される副見出しに従ってより詳細に説明される。
【０００７】
［信号強度及び品質の測定］
所与のセルの信号強度又は品質を特性化するＬＴＥの測定値の例は、リファレンス信号受信電力（ＲＳＲＰ：Reference  Signal  Received  Power）、リファレンス信号受信品質（ＲＳＲＱ：Reference  Signal  Received  Quality）、受信干渉電力及び熱雑音電力である。ＲＳＲＰ及びＲＳＲＱは、現在のところ、例えばＤＬでのユーザ機器による測定値として定義されており、セル固有リファレンス信号（ＣＲＳ：cell-specific  reference  signals）に関連付けられる。一方、受信信号強度及び受信信号品質の測定値は、例えば、任意のタイプの信号についての、ＤＬ及びＵＬについての、より一般的なものとして知られている。同様の測定値は、ＵＭＴＳ、ＧＳＭ及びＣＤＭＡ２０００などにも存在する。
【０００８】
［タイミング測定］
ＬＴＥにおいて、次のようなユーザ機器によるタイミング測定値がリリース９以来標準化されてきており、即ち、ユーザ機器Ｒｘ−Ｔｘ時間差（user  equipment  Rx-Tx  time  difference）、ＲＳＴＤ（Reference  Signal  Time  Difference）及びユーザ機器測位のためのセルフレームのユーザ機器ＧＮＳＳタイミング（user  equipment  GNSS  Timing）である。また、次のようなＥ−ＵＴＲＡＮ測定値がリリース９以来標準化されてきており、即ち、ｅＮｏｄｅＢ  Ｒｘ−Ｔｘ時間差（eNodeB  Rx-Tx  time  difference）、タイミングアドバンス（ＴＡ）、ＴＡタイプ１＝（ｅＮｏｄｅＢ  Ｒｘ−Ｔｘ時間差＋ユーザ機器Ｒｘ−Ｔｘ時間差）、ＴＡタイプ２＝（ｅＮｏｄｅＢ  Ｒｘ−Ｔｘ時間差）、及びユーザ機器測位のためのセルフレームのＥ−ＵＴＲＡＮ  ＧＮＳＳタイミング（user  equipment  GNSS  Timing）である。
【０００９】
加えて、明示的には標準化されていないが、ユーザ機器若しくはＥ−ＵＴＲＡＮにより依然として実装され又は将来標準化され得る測定値もあり得る。それら測定値のいくつかの例は、ＬＭＵなどの、例えばｅＮｏｄｅＢといった無線ノード又は無線測定ノードにより測定される到来時間（time  of  arrival）、無線ノードにより測定されるＲＳＴＤ、ユーザ機器へシグナリングされるべきタイミングアドバンスの推定のためにｅＮｏｄｅＢにより測定される一方向伝播遅延（one  way  propagation  delay）（同様のユーザ機器測定が将来定義され得る）、及び雑多リンク（multifarious  links）上のタイミング測定値である。同様の測定値は他のＲＡＴにも存在し、例えばＲｘ−Ｔｘ測定値はＵＭＴＳにおけるＲＴＴ（Round  Trip  Time）に類似し、ＲＳＴＤはＵＭＴＳにおけるＳＦＮ（System  Frame  Number）−ＳＦＮ時間差に類似するかもしれない。
【００１０】
タイミング測定値は、（例えば、Ｅ−ＣＩＤ（Enhanced  Cell  Identification）、ＡＥＣＩＤ（Adaptive  Enhanced  Cell  ID）、パターンマッチング、ＯＴＤＯＡ（Observed  Time  Difference  of  Arrival）、Ｕ−ＴＤＯＡ（Uplink  Time  Difference  of  Arrival）、ハイブリッド測位法での）測位、ＭＤＴ（Minimization  of  Drive  Tests）、ネットワークプランニング、自己最適化／組織化ネットワーク（ＳＯＮ）、拡張セル間リソース及び干渉協調（ｅＩＣＩＣ）、及びヘテロジーニアスネットワーク（ＨｅｔＮｅｔ）（様々なセルタイプのセル範囲の最適化のためなど）、ハンドオーバパラメータの設定、時間協調されたスケジューリングなどのために使用され得る。一般的な目的の測定は、典型的には、サービング／プライマリセルにより構成される。特定の目的の測定は、例えば、測位ノード（例えば、拡張サービングモバイルロケーションセンタ（Ｅ−ＳＭＬＣ）又はＬＴＥにおけるセキュアユーザプレーンロケーションプラットフォーム（ＳＬＰ））、ＳＯＮノード、ＭＤＴノードなどの他のノードにより構成されてもよい。
【００１１】
タイミングアドバンスは、ユーザ機器のＵＬ送信のタイミング調整を制御するためにも使用され得る。調整値は、タイミングアドバンスコマンドにおいてＵＥへ送信される。ＬＴＥにおいて、ＬＰＰをサポートしないユーザ機器のために、ユーザ機器のタイミング調整は、ＴＡタイプ２に基づいてよい。
【００１２】
ネットワークにより構成されるユーザ機器の測定値は、典型的には、例えばｅＮｏｄｅＢ、測位ノードなどのネットワークノードへ報告される。無線ノードの測定値もまた、例えば、ｅＮｏｄｅＢ若しくはＬＭＵといった他の無線ノードへ、又は測位ノードといった他のネットワークノードへ報告され得る。いくつかの測定値は、報告されず、ユーザ機器を含む測定をしたノードにより内部的に使用されてもよい。さらに、例えばＲｘ−Ｔｘ測定値などのいくつかの測定値は、双方の方向（ＤＬ及びＵＬ）に関与し得る。また、理解されるべき点として、ユーザ機器もまたＲｘ−Ｔｘ測定値などの無線ノード（例えば、ｅＮｏｄｅＢ）での測定に関与してもよく、ｅＮｏｄｅＢもまたＲｘ−Ｔｘ測定値などのユーザ機器での測定に関与してもよい。
【００１３】
［他の測定］
最初の２つのグループの測定値に属しない測定値の一例は、到来角（ＡｏＡ：Angle  of  Arrival）測定値である。現在のＬＴＥ標準において、ＡｏＡは、Ｅ−ＵＴＲＡＮ測定として定義されている。しかしながら、ユーザ機器により実行されるＡｏＡ測定もまた知られている。
【００１４】
［周波数間、帯域間、及びＲＡＴ間測定］
ユーザ機器は、典型的には、全てのＲＡＴ内（intra-RAT）測定（即ち、周波数間（inter-frequency）及び帯域内（intra-band）測定）をサポートしており、関連付けられる要件を充足する。しかしながら、帯域間（inter-band）測定及びＲＡＴ間（inter-RAT）測定はユーザ機器のケイパビリティであり、呼のセットアップの期間中にネットワークへ報告される。あるＲＡＴ間測定をサポートするユーザ機器は、対応する要件を充足すべきである。例えば、ＬＴＥ及びＷＣＤＭＡをサポートするユーザ機器は、ＬＴＥ内測定、ＷＣＤＭＡ内測定及びＲＡＴ間測定（即ち、サービングセルがＬＴＥである際にＷＣＤＭＡを測定し、及びサービングセルがＷＣＤＭＡである際にＬＴＥを測定すること）をサポートすべきである。よって、ネットワークは、その戦略に従ってこれらケイパビリティを利用することができる。これらケイパビリティは、マーケットの需要、コスト、典型的なネットワーク配備シナリオ、周波数割り当てなどの要因によって大いに動かされる。
【００１５】
［周波数間測定］
周波数間測定は、サービング／プライマリセルの周波数／キャリアとは異なる周波数／キャリアに属する少なくとも１つのセルについての測定に関与する（例えば、２つのセルに関与するＲＳＴＤ測定）。周波数間測定値の例は周波数間ＲＳＲＰ、周波数間ＲＳＲＱ、周波数間ＲＳＴＤなどである。
【００１６】
ユーザ機器は、周波数間及びＲＡＴ間測定を、メジャメントギャップにおいて実行する。測定は、モビリティ、測位、自己組織化ネットワーク（ＳＯＮ），ドライブテストの最小化などの、様々な目的で行われてよい。さらに、周波数間及びＲＡＴ間測定の全てのタイプについて同じギャップパターンが使用される。従って、Ｅ−ＵＴＲＡＮは、全ての周波数レイヤ及びＲＡＴ群の同時並列的なモニタリング（即ち、セル検出及び測定）のために、一定のギャップ期間を伴う単一のメジャメントギャップパターンを提供しなければならない。
【００１７】
［ＲＡＴ間測定］
一般に、ＬＴＥにおいて、ＲＡＴ間測定は典型的には周波数間測定と同様に定義されており、例えば周波数間測定についてのものと同じようにメジャメントギャップを構成することを要し得るが、ＲＡＴ間測定については、より多くの測定の制限と多くの場合より緩和された要件とを伴う。特別な例として、重複するＲＡＴのセットを用いた複数のネットワークも存在し得る。ＬＴＥについて現在仕様化されているＲＡＴ間測定の例は、ＵＴＲＡ  ＦＤＤ  ＣＰＩＣＨ  ＲＳＣＰ、ＵＴＲＡ  ＦＤＤキャリアＲＳＳＩ、ＵＴＲＡ  ＦＤＤ  ＣＰＩＣＨ  Ｅｃ／Ｎｏ、ＧＳＭキャリアＲＳＳＩ及びＣＤＭＡ２０００  １ｘ  ＲＴＴパイロット強度である。ＬＴＥ  ＦＤＤ及びＴＤＤもまた、異なるＲＡＴとして扱われ得る。
【００１８】
［帯域間測定］
帯域間測定は、サービング／プライマリセルのものとは異なる周波数帯に属するキャリア周波数上のターゲットセルについてユーザ機器により行われる測定をいう。周波数間及びＲＡＴ間測定は、帯域内又は帯域間であり得る。
【００１９】
帯域間測定の動機は、今日のユーザ機器のほとんどが同じ技術についてであっても複数の帯域をサポートしていることである。これは、サービスプロバイダからの興味によって駆り立てられ、単一のサービスプロバイダは、異なる帯域内のキャリアを所有するかもしれず、異なるキャリア上で負荷分散を行うことによりキャリアの効率的な利用をなすことを希望する。よく知られた例は、８００／９００／１８００／１９００帯でのマルチバンドＧＳＭ端末のそれである。
【００２０】
さらに、ユーザ機器もまた、例えばＧＳＭ、ＵＴＲＡ  ＦＤＤ及びＥ−ＵＴＲＡＮ  ＦＤＤといった複数の技術をサポートし得る。全てのＵＴＲＡ及びＥ−ＵＴＲＡの帯域は共通であるから、従って、マルチＲＡＴユーザ機器は、全てのサポートされるＲＡＴについて同じ帯域をサポートし得る。
【００２１】
［キャリアアグリゲーション（ＣＡ）ネットワーク］
マルチキャリアシステム（又は互換可能に、キャリアアグリゲーション（ＣＡ）と呼ばれる）は、１つより多くのキャリア周波数上でデータを同時にユーザ機器が送受信することを可能とする。各キャリア周波数は、しばしばコンポーネントキャリア（ＣＣ）、あるいは簡易に、サービングセクタ内のサービングセル、より具体的にはプライマリサービングセル若しくはセカンダリサービングセルとして言及される。マルチキャリアの概念は、ＨＳＰＡ及びＬＴＥの双方において使用されている。キャリアアグリゲーションは、連続的（contiguous）なコンポーネントキャリア及び不連続（non-contiguous）なコンポーネントキャリアの双方についてサポートされ、同じｅＮｏｄｅＢから発する複数のコンポーネントキャリアは同じカバレッジを提供しなくてよい。さらに、キャリアは、異なるＲＡＴに属してもよい。以下の定義がＣＡネットワーク内の様々なセルについて提供される。
【００２２】
サービングセル：ＣＡで構成されていないＲＲＣ＿ＣＯＮＮＥＣＴＥＤ状態にあるユーザ機器については、プライマリセルを含む１つのサービングセルのみが存在し得る。ＣＡで構成されているＲＲＣ＿ＣＯＮＮＥＣＴＥＤ状態にあるユーザ機器については、「サービングセル」との語は、プライマリセル及び全てのセカンダリセルを含む１つ以上のセルのセットを表記するために使用される
【００２３】
プライマリセル（ＰＣｅｌｌ）：ユーザ機器が初期接続確立手続を実行するか若しくは接続再確立手続を開始するかのいずれかに該当するプライマリ周波数上で動作するセルであり、又はハンドオーバ手続においてプライマリセルとして示されるセルである。
【００２４】
セカンダリセル（ＳＣｅｌｌ）：ＲＲＣ接続が一度確立されてから構成され得る、追加的な無線リソースを提供するために使用され得る二次的な周波数上で動作するセルである。
【００２５】
ダウンリンクにおいて、ＰＣｅｌｌに対応するキャリアはダウンリンクプライマリコンポーネントキャリア（ＤＬ  ＰＣＣ）であり、一方でアップリンクにおいて、それはアップリンクプライマリコンポーネントキャリア（ＵＬ  ＰＣＣ）である。ユーザ機器のケイパビリティに依存して、セカンダリセル（ＳＣｅｌｌ）を、ＰＣｅｌｌと共にサービングセルのセットを形成するために構成することができる。ダウンリンクにおいて、ＳＣｅｌｌに対応するキャリアはダウンリンクセカンダリコンポーネントキャリア（ＤＬ  ＳＣＣ）であり、一方でアップリンクにおいて、それはアップリンクセカンダリコンポーネントキャリア（ＵＬ  ＳＣＣ）である。
【００２６】
ＣＡでは、ＬＴＥにおける基地局（例えば、ｅＮｏｄｅＢ）は、対応するセカンダリキャリア上の１つ以上のセカンダリセルを非アクティブ化することができる。非アクティブ化は、（例えば、各ＳＣｅｌｌについて１ビットを用いる）ＯＮ／ＯＦＦなどの短いコマンドを用いて、（例えば、ＬＴＥにおけるＰＤＣＣＨ上の）ｅＮｏｄｅＢのＢｕｓｉｎｇ下位レイヤシグナリングにより行われる。アクティブ化／非アクティブ化コマンドは、ＰＣｅｌｌを介してユーザ機器へ送信される。典型的には、非アクティブ化は、ＳＣｅｌｌ（ｓ）上で送信するデータが無い場合に行われる。アクティブ化／非アクティブ化は、アップリンク及びダウンリンクのＳＣｅｌｌ上で独立して行われることができる。非アクティブ化の目的は、よって、ユーザ機器のバッテリーの節約を可能とすることである。非アクティブ化されたＳＣｅｌｌは、同じ下位レイヤシグナリングによってアクティブ化されることもできる。
【００２７】
［ＬＴＥにおけるセル変更］
ここでは、セル変更とは、ユーザ機器が関連付けられているセルを変更することをいう。セル変更は、さらに例えば次のようなものであってよい：
・サービングセルの変更（例えば、非ＣＡシステムにおける、又はユーザ機器がＳＣｅｌｌを伴って構成されていない場合のハンドオーバ）
・サービングセルセットの変更（例えば、ＣＡシステムにおけるＳＣｅｌｌの追加／削除／修正）
・ＰＣｅｌｌの変更（例えば、ＣＡシステムにおける第１のセルアイデンティティを有するセルであるその時点のＰＣｅｌｌの第２のセルアイデンティティを有する他のセルへの変更）
【００２８】
セル変更は、例えば、次のような期間中に発生し得る：
・ハンドオーバ（周波数内、周波数間、又はＲＡＴ間）、若しくは
・（ＣＡシステム内の）同じＰＣＣについてのＰＣｅｌｌ変更、又は
・キャリアスイッチング（その時点のＰＣＣの他の周波数キャリアへの変更、これはＰＣｅｌｌもまた変化することを示唆する）
【００２９】
セル変更は、例えば、モビリティ、負荷分散、エネルギー節約、キャリアのアクティブ化／非アクティブ化又はセルのアクティブ化／非アクティブ化、セカンダリキャリアのアクティブ化／非アクティブ化又はセカンダリセル（若しくはセカンダリサービングセル）のアクティブ化／非アクティブ化などに起因し得る。
【００３０】
［セル変更に際しての測定要件］
測定の多くは、例えばサービングセル又は隣接セルといった特定のセルの信号を特性化する。測定のいくつかは２つの特定のセルの信号に関連し、例えばそれは隣接セルとリファレンスセルとの間のＲＳＴＤなどの相対的な測定である。若干の測定は、特定のロケーションにおける無線環境を特性化する（例えば、熱雑音電力、受信干渉電力、ＲＳＳＩ又はノイズライスなどの、干渉及び雑音関連の測定値）。
【００３１】
測定は、（例えば、セルアイデンティティによって識別される）あるセル又は（例えば、サービングセル、リファレンスセル、隣接セルといった）あるセルカテゴリのために特定される。同じセルのセル識別（cell  identification）は、例えばユーザ機器についてサービングセルの変更が生じた際に変化しない。しかしながら、セルのカテゴリは、ユーザ機器が１つのセルから他のセルへ移動する際に変化するかもしれず又は変化しないかもしれない。例えば、サービングセルは、ハンドオーバ又はキャリアスイッチングの間には変化するが、ＯＴＤＯＡリファレンスセルは変化しないであろう。従って、（例えば、ＯＴＤＯＡにおけるもののような）あるセルに関連付けられる測定は、原理的には例えばハンドオーバ後にも継続し得る一方、あるセルカテゴリに関連付けられる測定は、測定及びセルカテゴリに依存して、ハンドオーバ時に停止され又はリスタートされる必要があり得る。
【００３２】
例１：ハンドオーバ発生時の測位用のユーザ機器Ｒｘ−Ｔｘ測定についての要件
既存の標準は、サービングセルがハンドオーバに起因して変更される際にユーザ機器がＲｘ−Ｔｘ時間差測定を実行しているならば、ユーザ機器はＲｘ−Ｔｘ測定を新たなセル上でリスタートするものと仕様化している。この場合、ユーザ機器は、ユーザ機器Ｒｘ−Ｔｘ時間差測定及び精度要件をも充足するものとされている。しかしながら、ユーザ機器Ｒｘ−Ｔｘ測定の物理レイヤでの測定期間（measurement  period）は、次式において定義されるようなＴmeasure_FDD_UE_Rx_Tx3を超えないものとされる：
Ｔmeasure_FDD_UE_Rx_Tx3  ＝  （Ｋ＋１）＊（Ｔmeasure_FDD_UE_Rx_Tx1）＋Ｋ＊ＴPCell_change_handover
ここで、Ｋは測定期間（Ｔmeasure_FDD_UE_Rx_Tx3）にわたるサービングセルが変更される回数であり、ＴPCell_change_handoverはハンドオーバに起因してサービングセルを変更するための時間であり、高々４５ｍｓまでが可能である。
【００３３】
例２：キャリアアグリゲーションと共にＰＣｅｌｌのスイッチングが発生した際の測位用のユーザ機器Ｒｘ−Ｔｘ測定についての要件
Ｅ−ＵＴＲＡキャリアアグリゲーションをサポートするユーザ機器がセカンダリコンポーネントキャリアと共に構成されていて、プライマリコンポーネントキャリアが変更されるか否かに関わらずＰＣｅｌｌが変更される際にユーザ機器Ｒｘ−Ｔｘ時間差測定を実行しているならば、当該ユーザ機器は、Ｒｘ−Ｔｘ測定を新たなセル上でリスタートするものとされている。この場合、ユーザ機器は、ユーザ機器Ｒｘ−Ｔｘ時間差測定及び精度要件をも充足するものとされている。しかしながら、ユーザ機器Ｒｘ−Ｔｘ測定の物理レイヤでの測定期間は、次式において定義されるようなＴmeasure_FDD_UE_Rx_Tx2を超えないものとされる：
Ｔmeasure_FDD_UE_Rx_Tx2  ＝  （Ｎ＋１）＊（Ｔmeasure_FDD_UE_Rx_Tx1）＋Ｎ＊ＴPCell_change_CA
ここで、Ｎは測定期間（Ｔmeasure_FDD_UE_Rx_Tx2）にわたるＰＣｅｌｌが変更される回数であり、ＴPcell_change_CAはＰＣｅｌｌを変更するための時間であり、高々２５ｍｓまでが可能である。
【００３４】
ＯＴＤＯＡについて、ユーザ機器は、リファレンスセルを基準としてＲＳＴＤ測定を実行する。そのため、一般には、ユーザ機器は、サービングセルに制限されないリファレンスセルを基準として支援データが提供される場合に、サービング／プライマリセルの変化後にＲＳＴＤ測定を継続することができるはずである。
【００３５】
［測定に関するＲＦ受信器の再構成の影響］
シングルキャリアＬＴＥでは、セルは、１．４ＭＨｚから２０ＭＨｚの範囲のチャネル帯域幅でセルは動作し得る。しかしながら、シングルキャリアのレガシーのユーザ機器は、２０ＭＨｚ上で、即ちシングルキャリアＬＴＥの最大の帯域幅の上で送受信を行うことができるものとされる。サービングセルの帯域幅が２０ＭＨｚよりも小さければ、ユーザ機器は、そのＲＦフロントエンドの帯域幅を縮減してもよい。例えば、サービングセルの帯域幅（ＢＷ）が５ＭＨｚであれば、ユーザ機器は、そのＲＦ  ＢＷを５ＭＨｚに設定してもよい。このアプローチは、複数の利点を有する。例えば、ユーザ機器が次のことをすることが可能となる：
・その時点の受信帯域幅の外の雑音からユーザ機器を防ぐこと
・電力消費を引き下げることで自身のバッテリー寿命を節約すること
【００３６】
ユーザ機器の受信及び／又は送信帯域幅の再構成は、ユーザ機器の実装に及びＵＬ  ＢＷとＤＬ  ＢＷとが同時に再構成されるか否かにも依存して、例えば０．５〜２ｍｓ以上といったいくらかの遅延を伴う。この小さな遅延は、しばしば、「グリッチ（glitch）」と呼ばれる。グリッチの期間中、ユーザ機器は、サービングセルからの受信又はサービングセルへの送信を行うことができない。よって、それはサービングセルとの間のデータ送受信における中断を引き起こし得る。ユーザ機器は、グリッチの期間中にいかなるタイプの測定をも実行することができない。グリッチは、ユーザ機器がその帯域幅を拡張し（例えば、５ＭＨｚから１０ＭＨｚへ）又はその帯域幅を縮減する（例えば、１０ＭＨｚから５ＭＨｚへ）際のいずれかにおいて生じる。
【００３７】
さらに、ユーザ機器は、その最大受信ケイパビリティよりも低い帯域幅で動作しており、例えば同じ周波数上のセルを測定するためにユーザ機器がその時点よりも大きい帯域幅にわたる測定を望む場合、その受信器を測定を実行するためにオープンしなければならない。よって、この場合（即ち、カレントＢＷ＜最大ＢＷ）、ユーザ機器がより大きい帯域幅にわたる各測定サンプルの後にその時点の動作を再構成し直すとすれば、ユーザ機器が各測定サンプルを取得する前にも後にも、グリッチは発生する。これに対し、測定される第１のセルのシステム帯域幅が最大のＢＷよりも小さい場合において、同じ周波数上のより帯域幅の大きい隣接セルの測定をグリッチ無しで可能とするために、受信器を例えば最大帯域幅までオープンに維持することは、第１のセルの測定の性能劣化をもたらす。
【００３８】
グリッチは、ＣＡのケイパビリティを有するユーザ機器が自身の帯域幅をシングルキャリアからマルチキャリアモードへ若しくはその逆へ再構成する際、又はＣＡセルあるいはコンポーネントキャリアをアクティブ化／非アクティブ化する際にも発生する。例えば、ＣＡのケイパビリティを有するユーザ機器が２つのＤＬコンポーネントキャリアをサポートしており、それぞれ２０ＭＨｚのＰＣＣ及び１つのＳＣＣであることを検討されたい。セカンダリコンポーネントキャリアがサービング／プライマリセルによって非アクティブ化されると、ユーザ機器は、自身のＢＷを例えば４０ＭＨｚから２０ＭＨｚへ縮減することになる。これは、ＰＣＣ上の１〜２ｍｓ又はそれより長くさえある中断を引き起こし得る
【００３９】
［ＬＴＥにおける測位アーキテクチャ］
ＬＴＥの測位アーキテクチャにおける３つの重要なネットワークエレメントは、ＬＣＳクライアント、ＬＣＳターゲット及びＬＣＳサーバである。ＬＣＳサーバは、測定値及び他のロケーション情報を収集することによってＬＣＳターゲットデバイス（典型的には、ユーザ機器又は無線ノード）のための測位を管理する物理的な又は論理的なエンティティであり、必要な場合には測定において端末を支援し、及びＬＣＳターゲットのロケーションを推定する。ＬＣＳクライアントは、１つ以上のＬＣＳターゲット、即ち測位されるエンティティ、のためにロケーション情報を取得する目的で、ＬＣＳサーバとインタラクションするソフトウェア及び／又はハードウェアエンティティである。ＬＣＳクライアントは、ネットワークノード、無線ネットワークノード、ユーザ機器に常駐（reside）してよく、またＬＣＳターゲット自体に常駐してもよい。ＬＣＳクライアントは、ロケーション情報を取得するためにＬＣＳサーバへ要求を送信し、ＬＣＳサーバは、受信される要求を処理してサービスを提供し、測位結果とオプションとして速度推定値とをＬＣＳクライアントへ送信する。測位要求は、端末、無線ネットワーク又はネットワークから発せられることができる。
【００４０】
位置計算は、例えば、測位サーバ（例えば、ＬＴＥにおけるＥ−ＳＭＬＣ若しくはＳＬＰ）又はＵＥによって遂行されることができる。前者のアプローチはユーザ機器支援型の測位モードに対応し、一方で後者はユーザ機器ベースの測位モードに対応する。
【００４１】
ＬＴＥでは、無線ネットワークを介して動作する、ＬＰＰ及びＬＰＰａという２つの測位プロトコルが存在する。ＬＰＰは、ＬＣＳサーバとＬＣＳターゲットデバイスとの間の、ターゲットデバイスを測位するために使用されるポイントツーポイントのプロトコルである。ユーザプレーン及び制御プレーンの双方において、ＬＰＰを使用することができる。ＬＰＰ手続は、複数を直列的にすることも、レイテンシを低減するように並列的にすることも可能である。ＬＰＰａは、ｅＮｏｄｅＢとＬＣＳサーバとの間のプロトコルであって、ｅＮｏｄｅＢに情報を問合せることでユーザプレーンの測位を支援し及びｅＮｏｄｅＢの測位を支援することはできるとはいえ、制御プレーンの測位手続のためにのみ仕様化されている。ＳＵＰＬプロトコルは、ユーザプレーンにおけるＬＰＰ用のトランスポートとして使用される。ＬＰＰは、ＬＰＰメッセージの内部でＬＰＰ拡張メッセージを運搬する可能性をも有し、例えば現在のところＯＭＡ  ＬＰＰの拡張が、事業者固有の支援データ若しくはＬＰＰでは提供不可能なデータを可能とし、又は他の測位報告フォーマット若しくは新たな測位法をサポートするように、仕様化されているところである（ＬＰＰｅ）。
【００４２】
ＬＴＥにおいて現在のところ標準化されている通りのハイレベルのアーキテクチャが図１に示されており、ＬＣＳターゲットは端末であって、ＬＣＳサーバはＥ−ＳＭＬＣ又はＳＬＰである。図中で、終端点としてのＥ−ＳＭＬＣを伴う制御プレーンの測位プロトコルが青で示されており、ユーザプレーンの測位プロトコルが赤で示されている。ＳＬＰはＳＰＣ及びＳＬＣという２つのコンポーネントを含み、それらは異なるノードに常駐してもよい。例としての実装において、ＳＰＣはＥ−ＳＭＬＣとの間の専用インタフェースと、ＳＬＣとの間のＬｌｐインタフェースとを有し、ＳＬＰのＳＬＣ部はＰ−ＧＥ（ＰＤＮゲートウェイ）及び外部ＬＣＳクライアントとの間で通信する。
【００４３】
特定の測位法の性能をさらに向上させるために、追加的な測位アーキテクチャのエレメントが配備されてもよい。例えば、無線ビーコンの配備は、より正確な測位を可能とすることによって、例えば近接ロケーション技法（proximity  location  techniques）と共に屋内及び屋外での測位性能を有意に改善させ得る、コスト効率の高い解決策である。
【発明の概要】
【発明が解決しようとする課題】
【００４４】
動作中にユーザ機器は１つのセルから他へと変化することが多く、これはセル変更動作と呼ばれる。セル変更という結果につながるモビリティ手続の間、ユーザ機器により実行される測位測定は、中断され又は悪影響を受けるかもしれない。よって、ここで提示される例としての実施形態のいくつかの少なくとも１つの目的は、そうしたセル変更を、当該セル変更によって引き起こされる測定の中断を最小化し又は低減するようにハンドリングする手法を提供することである。
【００４５】
よって、ここで提示される例としての実施形態は、ユーザ機器のセル変更の期間中の測位測定の改善を対象とする。ここで提示される例としての実施形態のいくつかは、概して、次のように要約され得る。
・ある時間的な期間にわたり、ユーザ機器のセル変更情報（例えば、サービング／プライマリセルのリスト、追加的なユーザ機器の軌跡情報など）を、ネットワークノード（例えば、ｅＮｏｄｅＢ、ＭＤＴ、ＳＯＮ、測位ノードなど）が取得できるようにする
・ユーザ機器のセル変更を把握しつつ、特定の測定を行うノードの構成
・セル変更を把握しつつ、ユーザ機器が構成された測定を実行すること
・取得されるユーザ機器のセル変更情報が、モニタリング、ネットワークの管理及び／又はプランニング、測位、トラッキングなどに関連付けられる１つ以上のタスクのためにネットワークノードによって使用されること
・全てのサービングセル／ＰＣｅｌｌの少なくとも帯域幅を把握しつつ、測位測定の期間にわたり、ユーザが測位測定の要件をセル変更の期間中（即ち、サービングセル／ＰＣｅｌｌの変更時）に充足することを保証するための、ユーザ機器の振る舞いに関する予め定義されるルール
【課題を解決するための手段】
【００４６】
従って、ここで提示される例としての実施形態のいくつかは、セル変更をハンドリングするための、無線通信ネットワークに含まれるユーザ機器における方法を対象とし得る。当該方法は、少なくとも１回の測定を実行することと、ネットワークノードから、第１のセルから第２のセルへのセル変更の通知及び当該セル変更に関連付けられる情報を受信することとを含む。当該方法は、さらに、少なくとも１回の測定の間にセル変更を実行することと、少なくとも１回の測定が実行される測定時間の時間長を変更することとを含む。当該方法は、さらに、第１のセル及び第２のセルの関連付けられる帯域幅に基づいて、少なくとも１回の測定の測定帯域幅を変更することを含む。当該方法は、さらに、測定時間の変更された時間長と変更された測定帯域幅とに基づいて、少なくとも１回の測定を完了させることを含む。
【００４７】
いくつかの例としての実施形態は、無線通信ネットワークに含まれる、セル変更をハンドリングするためのユーザ機器を対象とし得る。当該ユーザ機器は、少なくとも１回の測定を実行するように構成される測定ユニットと、ネットワークノードから、第１のセルから第２のセルへのセル変更の通知及び当該セル変更に関連付けられる情報を受信するように構成される受信ポートとを備える。測定ユニットは、少なくとも１回の測定の間に、セル変更を実行するようにさらに構成される。当該ユーザ機器は、少なくとも１回の測定が実行される測定時間の時間長を変更するように構成される変更ユニットをも備える。変更ユニットは、少なくとも１回の測定の測定帯域幅を変更するようにさらに構成され、測定時間及び測定帯域幅の当該変更は、第１のセル及び第２のセルの関連付けられる帯域幅に基づく。測定ユニットは、測定時間の変更された時間長と変更された測定帯域幅とに基づいて、少なくとも１回の測定を完了させるようにさらに構成される。
【００４８】
いくつかの例としての実施形態は、ユーザ機器のセル変更をハンドリングするための、無線通信ネットワークに含まれるネットワークノードにおける方法を対象とする。当該方法は、ユーザ機器へ、少なくとも１回の測定を実行させるための要求を送信することと、セル変更が行われる際のユーザ機器の測定時間及び測定帯域幅を変更させるための変更指示を含む、第１のセルから第２のセルへのセル変更に関連付けられる情報を決定することと、を含む。当該方法は、ユーザ機器へ、セル変更の通知と、当該セル変更に関連付けられる情報とを送信することをさらに含む。当該方法は、ユーザ機器から、ユーザ機器からの測定データを受信することをさらに含み、当該測定データは、測定時間の変更された時間長と変更された測定帯域幅とにわたって実行された少なくとも１回の他の測定の値（measurement）を含み、測定時間の変更された時間長及び変更された測定帯域幅は、第１のセル及び第２のセルに関連付けられる帯域幅に基づく。
【００４９】
いくつかの例としての実施形態は、ユーザ機器のセル変更をハンドリングするための、無線通信ネットワークに含まれるネットワークノードを対象とし得る。当該ネットワークノードは、ユーザ機器へ、少なくとも１回の測定を実行させるための要求を送信するように構成される送信ポートと、第１のセルから第２のセルへのセル変更が行われる際のユーザ機器の測定時間及び測定帯域幅を変更させるための指示を決定するように構成される変更ユニットとを備える。送信ポートは、ユーザ機器へ、セル変更の通知と、当該セル変更に関連付けられる情報であって変更させるための上記指示を含む当該情報とを送信するようにさらに構成される。当該ネットワークノードは、ユーザ機器から、測定データを受信するように構成される受信ポート、をさらに備え、当該測定データは、測定時間の変更された時間長と変更された測定帯域幅とにわたって実行された少なくとも１回の他の測定の値を含み、測定時間の変更された時間長及び変更された測定帯域幅は、変更させるための送信された上記指示と、第１のセル及び第２のセルに関連付けられる帯域幅とに基づく。
【発明の効果】
【００５０】
ここで提示される例としての実施形態は、無線ネットワークにおける改善された位置測定の精度を提供し、測定の期間中にセル変更が発生する場合に測位性能を維持することを可能とする。さらに、ここで提示される例としての実施形態を利用することで、ネットワークリソースの使用におけるより優れた効率性が提供され得る。
【図面の簡単な説明】
【００５１】
上述した内容は、添付図面に描いたような例としての実施形態の以下のより具体的な説明から明らかとなるであろう。添付図面において、同類の参照符号は、様々な図を通じて同じ部分を指す。図面は必ずしも等尺ではなく、代わりに例としての実施形態を描くに際して強調がなされる。
【００５２】
【図１】ＬＴＥにおける測位アーキテクチャの概略である。
【図２】測位測定を実行するユーザ機器の例示図である。
【図３】例としての実施形態のいくつかに係る、ユーザ機器の記録化の例示図である。
【図４】例としての実施形態のいくつかに係るユーザ機器の概略である。
【図５】例としての実施形態のいくつかに係るネットワークノードの概略である。
【図６】図４のユーザ機器により実行され得る例としての動作を示すフロー図である。
【図７】図５のネットワークノードにより実行され得る例としての動作を示すフロー図である。
【発明を実施するための形態】
【００５３】
例示的な実施形態の完全な理解を提供するために、限定ではなく説明の目的で、以下の説明において、固有のコンポーネント、エレメント、技法などの特定の詳細が説明される。しかしながら、例としての実施形態は、それら特定の詳細から離れた他のやり方で実践されてもよい。他の例において、よく知られた方法及びエレメントの詳細な説明は、例としての実施形態の説明を曖昧にしないために省略される。
【００５４】
［測位測定の概要］
説明の目的で、測位方法の概要が提供されるであろう。その後、そうした方法の制限が識別され議論されるであろう。図１は、ＬＴＥシステムにおける測位アーキテクチャを示している。測位アーキテクチャは、測位測定（positioning  measurements）を実行するように構成され得るユーザ機器１０１を含み得る。ユーザ機器１０１は、基地局１０３との間で通信関係にあり得る。基地局１０３は、コアネットワークとの間で通信関係にあり得る。コアネットワークは、サービングゲートウェイ（ＳＧＷ）１０９、パケットデータネットワークゲートウェイ（ＰＧＷ）１１１及び移動性管理エンティティ（ＭＭＥ）１０７を含む。コアネットワークは、例えば、ゲートウェイモバイルロケーションセンタ（ＧＭＬＣ）１０５、拡張サービングモバイルロケーションセンタ（Ｅ−ＳＭＬＣ）１１５、及び／又はセキュアユーザプレーンロケーションプラットフォーム（ＳＬＰ）１１３といった、測位機能性を有する１つ以上のノードをも含み得る。
【００５５】
ＧＭＬＣ１０５は、ＨＬＣ（ホームロケーションレジスタ）又はＨＳＳ（ホーム加入者サーバ）からのルーティング情報を要求するために使用され得る。ＧＭＬＣ１０５は、ＶＭＳＣ（訪問先モバイルスイッチングセンタ）、ＳＧＳＮ（サービングＧＰＲＳサポートノード）、ＭＳＣ（モバイルスイッチングセンタ）サーバ、又はＭＭＥのいずれかへ測位要求を送信し、対応するエンティティから最終的なロケーション推定値を受信するためにも使用され得る。Ｅ−ＳＭＬＣ１１５は、ロケーションサービス及びＬＰＰプロトコルを用いた支援データの伝達のために、ユーザ機器１０１と通信し得る。Ｅ−ＳＭＬＣ１１５は、ＬＰＰａプロトコルを用いて、支援データの目的で基地局１０３とも通信し得る。ＳＬＰ１１３は、ロケーションサービスを提供するための協調及び運営機能について責任を有し得る。ＳＬＰ１１３は、測位機能についても責任を有し得る。ＳＬＰ１１３は、ユーザプレーンにおける測位ノードである。
【００５６】
図２は、ユーザ機器１０１により実行される測位測定の概要を示している。測定の期間中、ユーザ機器は、サービング基地局１０３Ｓとの間で通信関係にあり得る。ユーザ機器１０１は、複数の基地局１０３Ａ〜１０３Ｃから測定値を受信するように構成され得る。ユーザ機器は、測位ノードＥ−ＳＭＬＣ１１５及び／又はＳＬＰ１１３との間でも通信関係にあり得る。測位測定の期間中、サービング基地局１０３Ｓに関連付けられるサービングセルの帯域幅、基地局１０３Ａ〜１０３Ｃに関連付けられる測定される多様なセルの帯域幅、及び多様な測位リファレンス信号（ＰＲＳ）の帯域幅が、考慮に入れられる必要があり得る。
【００５７】
［現在の解決策の制限］
以下は、発明者らによって識別された、現在の解決策の制限についての議論である。当該制限の議論は、そうした制限への発明者らが認識したあり得る対策の議論をも含む。モビリティ手続の期間中にユーザ機器１０１により実行される測位測定は、中断され又は悪影響を受けるかもしれない。中断及び／又は悪影響は、モビリティ手続の結果として生じるセル変更によって引き起こされ得る。
【００５８】
セル変更の期間中の現在の測位の解決策に関連付けられる数多くの問題がある。少なくとも、以下の問題が識別されている：
・測位測定のために、ＯＴＤＯＡ支援データにはサービングセルが無いかも知れず、よってユーザ機器はそれについて測定値を報告しないことになり、そのため測位ノードは、現在の標準では、サービングセル構成及び変更回数が測定精度及び報告時間に影響を与えるにも関わらず、測定期間の間にサービングセルが変化したのか否かを認識しない。
・リファレンスセルを基準とする測定について（例えば、ＲＳＴＦ測定又は相対ＲＳＲＰ／ＲＳＲＱ測定）、ユーザ機器の振る舞い及び測定時間は、サービング／プライマリセルが変化した際には未だ不明確である。
・理論的には、非サービングセルについても測定が定義されていれば、ユーザ機器は測定を継続することができるものとされるが、例えばこれがＣＡシステムであるか又は周波数／キャリアが変化したかに依存して、複雑さへの異なる影響があり得る（なぜなら、周波数内の要件と周波数間の要件とは異なる）。
・測定の期間中に複数回のセル変更があれば、これも考慮に入れられる必要があり得る。
・ネットワークノード（例えば、測位ノード）は、進行中の測定の期間中に発生し得るサービング／プライマリセルの変更に気付かない。
・ネットワークにより測定値が受信される場合、受信される測定値はあまり正確ではなく及び／又は長時間の後に報告されるかもしれず、それでもネットワークは測定値について統計を収集してそれを他の目的のために使用し（例えば、ＳＯＮ）、劣化した性能の理由に気付かずに測定値を間違って分類しかねない。
・測定が実行されている際に、長い測定時間の理由に気付いていないネットワークは、当該測定時間が要件に従ったものであったとしても測定値が受信される前にセッションを破棄するかもしれず、これはセルのスイッチングの要因になり得る。
・サービング／プライマリセルの変更を把握した上での測定要件がテストされる際、テスト機器は、例えばセル変更に関連付けられる情報を認識しなければならない。
・測定の期間中に複数回のセル変更が発生すると、ネットワーク（例えば、測位ノード又はＳＯＮ）は、セル変更の履歴から恩恵を受けるであろう。それは、現在のところ単一の測定としては報告されることができない。特にスモールセル群を伴うネットワークの配備において、具体的には測位、ＭＤＴ、ユーザ機器の追跡などにとって恩恵がある。
【００５９】
よって、例としての実施形態のいくつかによれば、ユーザ機器は、測位測定の期間中の自身の振る舞いをモビリティ手続の結果として適応するように構成され得る。そうした適応は、モビリティ手続の結果としてのセル変更を算入し得る。さらに、いくつかの例としての実施形態は、セル変更に基づいてユーザ機器へ提供され得る測位測定指示を適応させるネットワークノードを対象とし得る。
【００６０】
［例としての実施形態の簡単な概要］
上で強調した現在の技術に伴う問題を解消するために、セル変更の期間中の改善された測定の管理を提供する例としての実施形態が、ここで提示される。例としての実施形態のいくつかは、その時点の（current）セルに関連付けられるユーザ機器により取得される情報の記録化（recordation）及び使用を含み得る。当該情報は、ユーザ機器、測位ノード、基地局又は測定管理若しくは一般的なリソース管理のための任意の他のネットワークノードにより利用され得る。他の例としての実施形態は、実装されるルール及び／又はユーザ機器により取得されるデータに基づく、その時点の測定方式の変更を含み得る。例としての実施形態の様々な側面が、適切な副見出しに従って以下により詳細に説明される。
【００６１】
［ユーザ機器の軌跡の記録化］
例としての実施形態のいくつかによれば、ユーザ機器１０１は、当該ユーザ機器がその時点で関連付けられているセルに関連付けられるデータを記録するように構成され得る。例としての実施形態は、ユーザ機器が当該セルから離れた後に当該情報を保持することをさらに含む。よって、ユーザ機器は、ユーザ機器の軌跡と多様なセル変更とに関連付けられる情報を保持する。
【００６２】
例としての実施形態によれば、ユーザ機器のセル変更に関連付けられる情報を取得するための、多様なシグナリング手続及び構成方法が存在する。情報は、ユーザ機器から、及び／又はユーザ機器にサービスし得る適切なネットワークノードから取得されてよい。
【００６３】
セル変更に関連付けられる情報の通信に以下のノード群が関与し得る。理解されるべき点として、提供される例は、非限定的であり、方法のステップではない。
【００６４】
ユーザ機器は、セル変更に関連付けられる情報を収集し報告することの要求又は標識（indication）を（例えば、ＬＰＰ又はＲＲＣを介して）受信し得る。セル変更に関連付けられる情報は、ユーザ機器によって、収集され、記憶され、及び他のノード（例えば、測位ノード、ｅＮｏｄｅＢ、ＬＭＵ、ＭＤＴノード、ＳＯＮノードなど）へシグナリングされ得る。
【００６５】
無線ノードもまた、セル変更に関連付けられる情報の通信に関与し得る。無線ノードは、セル変更に関連付けられる情報を収集し報告することの要求又は標識を（例えば、ＬＰＰを介して）受信し得る。セル変更に関連付けられる情報は、無線ノードによって、収集され、記憶され、及び他のノード（例えば、他の無線ノード、測位ノード、ＳＯＮノード、ＭＤＴノードノードなど）へシグナリングされ得る。セル変更に関連付けられる情報は、ユーザ機器から受信されてもよい。セル変更に関連付けられる情報は、例えばハンドオーバコマンド又は他のシグナリングにおいてＸ２を介して、他の無線ノード（例えば、ｅＮｏｄｅＢ又はＬＭＵ）から受信されてもよい。
【００６６】
多様な他のネットワークノードもまた、セル変更に関連付けられる情報の通信に関与し得る。ネットワークノードは、ユーザ機器へ、セル変更に関連付けられる情報を収集させ報告させる要求又は標識を送信してもよい。ネットワークノードは、無線ノードへ、セル変更に関連付けられる情報を収集させ報告させる要求又は標識を送信してもよい。ネットワークノードは、他のノードへ要求を送信し、特定のユーザ機器についての及び／若しくはユーザ機器のグループについての、セル変更に関連付けられる情報又は経時的に収集されたセル変更に関連付けられる情報の統計、を受信し得る。
【００６７】
セル変更に関連付けられる情報は、ユーザ機器から受信されてもよい。セル変更に関連付けられる情報は、他のネットワークノード（例えば、測位ノード、ＳＯＮノード、ＭＤＴノードなど）から受信されてもよい。セル変更に関連付けられる情報は、無線ノードから受信されてもよい。
【００６８】
セル変更に関連付けられる情報は、ユーザ機器の軌跡情報を含み得る。ユーザ機器の軌跡情報は、少なくとも、ある期間の間ユーザ機器が接続され又は滞在した（camped）セルのセルＩＤのリスト又はセルＩＤの順序化されたシーケンス（ordered  sequence）を含み得る。リストの順序は、経時的なセル変更の順序であってよい。
【００６９】
例としての実施形態のいくつかによれば、予め定義される期間にわたる全てのセルがユーザ機器による記録化に含まれ得る。例としての実施形態のいくつかによれば、少なくともある最小限の時間についてユーザ機器が滞在し又は接続したセルのみが提供される。例としての実施形態のいくつかによれば、例えばユーザ機器がＭＤＴ測定を実行しログをとった時間（例えば、典型的にはＭＤＴについて２時間）など、測定の何らかのタイプに関連付けられる時間的期間にわたってセルのリストが取得され得る。例としての実施形態のいくつかによれば、セル変更情報が取得されることになる時間的期間は、測位測定セッション又は期間（例えば、１つのＲＳＴＤ測定セッションの時間インターバル）などにリンク付けされ得る。
【００７０】
ユーザ機器は、順序化されたシーケンス（cell_ID1，cell_ID2，…，cell_IDN）を報告してもよく、cell_ID1，cell_ID2，…，cell_IDNを有するセル群は、上記時間インターバル又は１つの測位測定セッション（例えば、ＯＴＤＯＡ又はＥ−ＣＩＤについて）の期間中のサービング／プライマリセルであったものである。ユーザ機器は、物理セルＩＤ（ＰＣＩ）又はセルグローバルＩＤ（ＣＧＩ）のいずれかを報告してよい。ユーザ機器は、ネットワークノードによって、セル識別子の何らかのタイプを報告するように構成されてもよい。
【００７１】
リスト／シーケンス内のセルには、例えばセル識別子と共に、タイムスタンプが付され得る。タイムスタンプを付された情報は、様々なやり方で提供され得る。１つの例において、ユーザ機器は、ユーザ機器が初めてセルに接続し／滞在した際に、当該セルについて時刻を提供し得る。例としての実施形態のいくつかによれば、ユーザ機器は、ユーザ機器がサービングセルから離れた際に、当該セルについて時刻を提供し得る。例としての実施形態のいくつかによれば、セルについてのタイムスタンプは、その間に当該セルにユーザ機器が接続し又は滞在した時間に対応し得る。ユーザ機器は、リスト内の各セルについて相対的なタイムスタンプを報告してもよい。相対的な時間は、ネットワークノードにより提供される時間に対する、又は最後のサービング／プライマリセルに若しくはリファレンスセル対応するタイムスタンプに対する時間リファレンスであってよい。上で列挙した例のいずれかによれば、ユーザ機器は、ネットワークノードにより、各サービングセルについてタイムスタンプを報告するように構成されてもよい。
【００７２】
ユーザ機器は、軌跡の追跡の開始と終了とを示すセルＩＤのセット（例えば、第１のセット及び第２のセット）と共に構成されてもよい。例えば、ユーザ機器は、サービング／プライマリセルがセルＩＤの第１のセットに属する場合に軌跡情報のロギングを開始し、サービング／プライマリセルがセルＩＤの第２のセットに属する場合に当該ロギングを停止する。ネットワークは、時間的期間をも構成することができる。例えば、この時間が満了した後、ユーザ機器は、セルＩＤの第２のセットに一致しないセルＩＤをサービング／プライマリセルが有する場合であっても、軌跡情報のロギングを停止してよい。第１のセルＩＤの他の非限定的な例は、第１のタイプのセル（例えば、大規模又はマクロセル）に関連付けられ、セルＩＤの第２のセットは、第２のタイプのセル（例えば、フェムト又はピコセルといったスモールセル）に関連付けられ得る。
【００７３】
ユーザ機器は、ネットワークノードによって、軌跡情報の一部として、各サービング／ＰＣｅｌｌ又は特定のサービング／ＰＣｅｌｌの少なくともＮ個（例えば、Ｎ＝５）の隣接セルを報告するように構成されてもよい。従って、ユーザ機器は、所与のサービング／ＰＣｅｌｌについての全ての隣接セルを取得し及び記憶し、並びにネットワークノードへその結果を報告する。特殊なケースとして、ユーザ機器は、によって、軌跡情報の一部として、最も強い隣接セル、及び／又は、各サーネットワークノードビング／ＰＣｅｌｌ又は特定のサービング／ＰＣｅｌｌの最も強い隣接セルを報告するように構成されてもよい。
【００７４】
ユーザ機器は、（軌跡情報がネットワーク内で使用されるか否かに依存せずに使用され得る）リスト／シーケンス内の少なくとも１つについてのセル識別情報を記録化するように構成されてもよい。そうしたセル識別の例は、予め定義される時間インターバルの間の最後のサービング／プライマリセル、予め定義される時間インターバルの間の各セルのキャリア周波数、予め定義される時間インターバルの間の最初のサービング／プライマリセル、予め定義される時間インターバルの範囲内で最も長くサービング／プライマリセルであったセル、予め定義されるルールに従って選択される１つ又は複数のセル、ある周波数上の１つ又は複数のセル、あるタイプの１つ又は複数のセル（例えば、ＣＳＧセル、マクロセル、ピコセル）であってよい。
【００７５】
ユーザ機器は、信号測定を基準としてセル識別情報を記録するように構成されてもよい。具体的には、ユーザ機器は、サービング／プライマリセルの信号測定（例えば、ＲＳＲＰ、ＲＳＲＱ）の結果を記録するように構成され得る。そうした測定結果の例は、ユーザ機器がサービング／プライマリセルに接続し／滞在している間に当該セルについて行われた何らかの測定の最小値及び最大値、並びに／又は、ユーザ機器がサービング／プライマリセルに最初に接続し／滞在し及び／若しくはユーザ機器が当該セルから離れた際に当該セルについて行われた何らかの測定の値であってよい。
【００７６】
例としての実施形態のいくつかによれば、（測定に関連する）セル情報のさらなる例は、リスト／シーケンス内の少なくとも１つのセルについてのセルタイプの標識、及び／又はリスト／シーケンス内の少なくとも１つのセルについての帯域幅情報を含み得る。当該帯域幅情報の例は、システム帯域幅（ａｋａチャネル帯域幅、セル送信帯域幅など）、及び／又は測定帯域幅（特定のタイプの測定を実行するために使用される帯域幅）を含み得る。当該帯域幅のいくつかの非限定的な例は、セル測定帯域幅、特定信号（例えば、ＰＲＳ）測定帯域幅、ＳＲＳ測定帯域幅、上記インターバルの期間中の（例えば、全てのサービング／プライマリセルのうちの）サービング／プライマリセル群の最小測定帯域幅、上記インターバルの期間中の（例えば、全てのサービング／プライマリセルのうちの）サービング／プライマリセル群の最大測定帯域幅、上記インターバルの期間中の（例えば、全てのサービング／プライマリセルのうちの）サービング／プライマリセル群の最小システム／送信／チャネル帯域幅、及び／又は上記インターバルの期間中の（例えば、全てのサービング／プライマリセルのうちの）全てのサービング／プライマリセルの最大システム／送信／チャネル帯域幅である。
【００７７】
例としての実施形態のいくつかによれば、セルユーザ機器は、途中で少なくとも１回のセル変更が発生した報告される測定の全体に関連付けられる帯域幅情報を記録するように構成されてもよい。そうした情報の例は測定帯域幅であってよく、当該測定帯域幅に基づいて、測定を報告する時間が定義されることになる（この情報は、特に、例えば測定要件のテストのために重要である）。ユーザ機器は、セルタイプを記録するように構成されてもよい。そういたセルタイプの例は、マクロ、マイクロ、ピコ、フェムトなどであり得る。
【００７８】
ユーザ機器は、セルアクセス情報を記録するように構成されてもよい。例えば、ユーザ機器は、セルが全てのユーザ機器にとってフルに又は部分的にアクセス可能か否かを示すように構成されてもよい。そうした情報の例は、ＣＳＧセル、非ＣＳＧ、ハイブリッドＣＳＧ、何らかの制限された（restricted）若しくは閉塞された（barred）セル、特定の運用／サービスのために閉塞されたセル、近接関係（proximity）；セルがＣＳＧなどに近接しているか、少なくとも１つのセルに関連付けられる周波数、及び／又は例えば少なくとも１つのセルに関連付けられるＳＦＮなどのタイミング情報、であってよい。
【００７９】
例としての実施形態のいくつかによれば、セル変更に関連付けられる情報は、要求後に、又は設定された場合に（例えば、構成メッセージは、上記情報のどのエレメントが提供されるべきかを示し得る）提供され得る。いくつかの例としての実施形態によれば、情報の記録化は、ある測定について（例えば、ＭＤＴ測定について、Ｅ−ＣＩＤ、ＯＴＤＯＡ、ＵＴＤＯＡ若しくは他の測位測定について、途中で少なくとも１回のセル変更が生じた測定について、など）は必須とすることが可能であり得る。
【００８０】
理解されるべき点として、ユーザ機器の軌跡情報は、ユーザ機器によって、例えばアイドル状態、接続状態、低アクティビティ状態（例えば、CELL_PCH、URA_PCH、CELL_FACH状態など）といった任意のＲＲＣ状態において提供されることができる。
【００８１】
また、理解されるべき点として、記録化されるセル情報の全ての例は、セル変更／軌跡情報を取得する間に、ユーザ機器によって、各サービング／ＰＣｅｌｌに関連付けられる隣接セルについても取得されてよい。
【００８２】
図３は、記録化されるユーザ機器の軌跡の一例を示している。いくつかの例としての実施形態において、ユーザ機器１０１は、例えばセルテーブル１３０の形式で、ユーザ機器の軌跡情報を内部的に記憶するように構成され得る。図示したように、セルテーブル１３０は任意のエントリを含んでよく、各エントリはいかなる数のフィールドを含んでもよい。図３で提供された例において、各エントリにはタイムスタンプが上で説明したように付され得る。さらに、当該テーブルは、いかなる数の異なるエントリタイプを含んでもよい。図３で提供された例において、セルテーブル１３０は、最終サービングセルＩＤ、第１プライマリセル、及び最長サービングプライマリセルＩＤエントリを含む。
【００８３】
理解されるべき点として、セルテーブルの使用は、単に説明のために使用されており、いかなる他の記録化又はリスト化の形式が利用されてもよい。さらに、上述した記録化の技法は、例として提示されている。任意の形式のセル関連情報が無線リソースの管理のために記録化され及び使用されてよい。
【００８４】
［サービングセル／プライマリセルの変更の間のユーザ機器の振る舞い］
例としての実施形態のいくつかによれば、ユーザ機器は、測定の構成又は方式の受信後に、測定インターバルの期間中又は構成されたインターバルの期間中のセル変更を考慮に入れながら、適切なアクションをとり得る。セル変更は、例えば、ハンドオーバ、セル再選択、ＲＲＣ再確立、ターゲットセルへのリダイレクトを伴うＲＲＣ接続解放、ＰＣｅｌｌスイッチング（ａｋａＰＣｅｌｌ変更又はプライマリサービングセル変更）などの多様な理由で発生し得る。
【００８５】
例としての実施形態のいくつかに従って、例えばＯＴＤＯＡ、ＲＳＴＤ測定の測定期間といった、ある時間的期間上でのサービングセル／プライマリセルの変更の間のユーザ機器の振る舞いを例示するために、ここで若干の非限定的な例が提供される。
【００８６】
ＯＴＤＯＡセッションは数秒であり得るため、ＨＯが当該セッションの期間中に発生し得る。これら要件が無ければ、ＯＴＤＯＡセッションはＨＯに起因して打ち切られ得る。これは、測位ノードに新たなセッションを開始することを要求することになり、前回の測定の浪費に、及び非常に長い全体的な遅延につながる。本問題は、スモールセルの多いＨＷ確率が高いエリアにおいて、一層深刻となる。
【００８７】
周波数内ＲＳＴＤが測定される際のＨＯ下のユーザ機器の振る舞い：
第１の例において、ユーザ機器が自身のサービングセルに接続されており、測位ノードによってＯＴＤＯＡの周波数内及び／又は周波数間測定を実行するように構成されるものとする。ユーザ機器は、ＲＳＴＤ測定を実行するためのＯＴＤＯＡ支援データを受信してもよく、その対象セルは支援データ内にある。ユーザ機器がＲＳＴＤ測定を実行する間、当該ユーザ機器のサービングセルが（例えば、ＨＯに起因して）変化し得る。一例として、サービングセルは、ある期間中にＫ回変化し得る。当該期間の間、Ｋ個のサービングセルの全てが同じシステム帯域幅を有するわけではないかもしれない。例えば、いくつかのセルはより小さいＢＷ（例えば、１５ＲＢ）を有する一方、他は５０ＲＢに等しいＢＷを有し得る。ＯＴＤＯＡにおけるセルの測位リファレンス信号（ＰＲＳ）ＢＷは、サービングセルのＢＷよりも大きく、小さく、又は同等であり得る。例えば、全てのセルのＰＲＳ  ＢＷが５０ＲＢであると仮定する。ユーザ機器のサービングセルのＢＷがＰＲＳ  ＢＷのそれ以上であれば、ＵＥは、セルの全ＰＲＳ  ＢＷ上でＲＳＴＤを測定することができる。そうではなくサービングセルのＢＷがＰＲＳ  ＢＷよりも小さければ、ＵＥは、高々サービングセルのＢＷと同等のＰＲＳ  ＢＷ上で測定を行うことができる。
【００８８】
よって、例としての実施形態のいくつかによれば、例えば、ユーザ機器がＲＳＴＤ測定を実行しＨＯが発生する場合、以下のルールが実装され得る。
【００８９】
周波数内ＲＳＴＤ測定期間についてのルール：
周波数内ＲＳＴＤ測定が実行されている間に周波数内ハンドオーバが発生すると、ユーザ機器は、進行中のＯＴＤＯＡ測定セッションを完了させ得る。しかしながら、この場合（即ち、ハンドオーバが発生する）、支援データ内にあるセルのＲＳＴＤをユーザ機器が実行するＲＳＴＤ測定期間は、通常よりも長くてよい。この通常とは、ハンドオーバが無い場合を意味する。その理由は、ユーザ機器がハンドオーバを行っている際にはＲＳＴＤを測定できないであろうということである。他の理由は、ユーザ機器がＲＳＴＤを測定する対象のＰＲＳ信号がハンドオーバが発生する時間的瞬間に衝突し又は（完全に若しくは部分的に）重複し得ることである。他の影響のある要因は、サービングセルの帯域幅である。なお、１回よりも多くのハンドオーバがＲＳＴＤ測定期間にわたって発生してもよい。
【００９０】
よって、一例として、ＲＳＴＤ測定期間（ＴRSTDIntraFreq.E-UTRAN,HO）を、次の一般的な数式で下記パラメータの関数として表現することができる：ＴRSTDIntraFreq.E-UTRAN,HO＝ｆ（ＴRSTDIntraFreq.E-UTRAN，Ｋ，ＴPRS，ＴHO，…）。１つの特定の非限定的な例は：
ＴRSTDIntraFreq.E-UTRAN,HO＝ＴRSTDIntraFreq.E-UTRAN＋Ｋ×（ＴPRS＋ＴHO）  ｍｓであり、ＫはＴRSTDIntraFreq.E-UTRAN,HOの期間中の周波数内ハンドオーバの発生回数、ＴPRSは例えば１０２４ｍｓといったセル固有の測位サブフレーム構成期間、ＴRSTDIntraFreq.E-UTRAN,HOはＨＯが発生しない場合の周波数内ＲＳＴＤ測定の実行のための時間、ＴHOは周波数内ハンドオーバに起因して周波数内ＲＳＴＤ測定が不可能であり得る時間であり、それは最大４５ｍｓであり得る。
【００９１】
周波数内ＲＳＴＤの精度についてのルール：
上で示したユーザ機器の振る舞いの他の観点は、ユーザ機器がセルについてＲＳＴＤ測定を実行している間のサービングセルＢＷに関連する。ユーザ機器がＲＳＴＤ測定期間にわたって１つよりも多くのサービングセルを横断する（即ち、２つ以上のセルからサービスを受ける）場合、サービングセルＢＷがＲＳＴＤ測定の精度に影響し得る。ＲＳＴＤ測位の精度は、典型的には、例えば１００ｎｓ前後のオーダでの基本的な時間単位（Ｔｓ）で表現される。その精度は、ＰＲＳ  ＢＷ、ＰＲＳサブフレームの数などといった要因に依存する。サービングセルＢＷは、ユーザ機器がＲＳＴＤを測定することのできる帯域幅に影響し得る。当該測定は、測定されるセルのＰＲＳ上で行われる。
【００９２】
従って、一般的なルールとして、ハンドオーバが発生する際にユーザ機器がＲＳＴＤ測定を実行中であれば、ユーザ機器は、ＲＳＴＤ測定期間にわたるその全てのサービングセルの少なくとも帯域幅（即ち、チャネル／システム／送信ＢＷ）を考慮に入れることにより、ＲＳＴＤ測定精度を充足し得るものと予め定義され得る。他の一般的なルールによれば、ハンドオーバが発生する際にユーザ機器がＲＳＴＤ測定を実行中であれば、ユーザ機器は、ＲＳＴＤ測定期間にわたるその全てのサービングセルの少なくとも帯域幅（即ち、チャネル／システム／送信ＢＷ）に加えて、測定されるセルのＰＲＳ  ＢＷを考慮に入れることにより、ＲＳＴＤ測定精度を充足し得るものと予め定義され得る。
【００９３】
より具体的には、ユーザ機器は、ＲＳＴＤ測定（ＴRSTDIntraFreq.E-UTRAN,HO）の期間中の全てのサービングセルの最小のチャネル／システム／送信帯域幅よりも大きくないＰＲＳ帯域幅に対応するＲＳＴＤ測定精度を充足するように予め定義され得る。
【００９４】
周波数間ＲＳＴＤが測定される際のＨＯ下のユーザ機器の振る舞い、及び周波数間ＲＳＴＤ測定期間についてのルール：
ユーザ機器が周波数間ＲＳＴＤ測定を行う間に周波数内又は周波数間ＨＯが発生する場合のユーザ機器の振る舞いは、（上で説明したような）ユーザ機器が周波数内ＨＯを行う際の周波数内ＨＯのケースにおけるユーザ機器の振る舞いに非常に類似する。例えば、周波数間ＲＳＴＤの遅延は、通常の周波数間ＲＳＴＤの遅延よりも長くなり得る。より具体的には、ＲＳＴＤ測定期間（ＴRSTDInterFreq.TDD.E-UTRAN,HO）を、次の数式で表現することができる：ＴRSTDInterFreq.TDD.E-UTRAN,HO＝ＴRSTDInterFreq.TDD.E-UTRAN＋Ｋ×（ＴPRS＋ＴHO）  ｍｓ。ここで、ＫはＴRSTDInterFreq.TDD.E-UTRAN,HOの期間中の周波数間及び／又は周波数内ハンドオーバの発生回数、ＴHOは周波数間ハンドオーバに起因して周波数間ＲＳＴＤ測定が不可能であり得る時間であり、それは最大４５ｍｓであり得る。
【００９５】
周波数間測定は、ＨＯが発生する場合には例えば新たなサービングセルによって再構成され得るギャップにおいて実行され得る。従って、ギャップ再構成に起因する追加的な遅延が、例えば次のように必要とされ得る。
ＴRSTDInterFreq.TDD.E-UTRAN,HO＝ＴRSTDInterFreq.TDD.E-UTRAN＋Ｋ×（ＴPRS＋ＴHO＋Ｔgap-config）  ｍｓここで、Ｔgap-configは、周波数間測定のためにギャップを構成し又は再構成するための時間であり、それは最大５０ｍｓであり得る。
【００９６】
周波数間ＲＳＴＤの精度についてのルール：
同様に、ＲＳＴＤ測定の精度は、サービングセルＢＷによって影響を受け得る。例えば、ユーザ機器がＲＳＴＤ測定を行う対象の周波数が周波数間ではなく周波数内になれば、サービングセルＢＷはＲＳＴＤの精度に影響し得る。同様に、ユーザ機器がＲＳＴＤ測定を行う対象の周波数を測定するためにユーザ機器がギャップを必要としなければ、サービングセルＢＷはＲＳＴＤの精度に影響し得る。同様に、リファレンスセルがサービングキャリア上にあれば、サービングセルＢＷはＲＳＴＤの精度に影響し得る
【００９７】
従って、一般的なルールとして、周波数間又は周波数内ハンドオーバが発生する際にユーザ機器が周波数間ＲＳＴＤ測定を実行中であれば、ユーザ機器は、ＲＳＴＤ測定期間にわたるその全てのサービングセルの少なくとも帯域幅（即ち、チャネル／システム／送信ＢＷ）を考慮に入れることにより、ＲＳＴＤ測定精度を充足し得るということも、予め定義され得る。
【００９８】
他の一般的なルールによれば、周波数間又は周波数内ハンドオーバが発生する際にユーザ機器が周波数間ＲＳＴＤ測定を実行中であれば、ユーザ機器は、ＲＳＴＤ測定期間にわたるその全てのサービングセルの少なくとも帯域幅（即ち、チャネル／システムＢＷ）に加えて、測定されるセルのＰＲＳ  ＢＷを考慮に入れることにより、ＲＳＴＤ測定精度を充足し得るものと予め定義され得る。より具体的には、ユーザ機器は、周波数間ＲＳＴＤ測定の期間中の全てのサービングセルの最小のチャネル／システム／送信帯域幅よりも大きくないＰＲＳ帯域幅に対応するＲＳＴＤ測定精度を充足するように予め定義され得る。
【００９９】
ＲＳＴＤが測定される際のプライマリセル変更下のユーザ機器の振る舞い：
ユーザ機器がキャリアアグリゲーションで（例えば、少なくとも１つのセカンダリセルと共に）構成され、ユーザ機器がＲＳＴＤ測定を実行中にプライマリセルが変更される場合、ユーザ機器の振る舞いもまた定義され得る。ＲＳＴＤ測定期間及び精度の観点におけるその振る舞いは、以下に一例と共に説明するように、ＨＯのケースにおけるそれに非常に類似する。
【０１００】
ＣＡにおけるＰＣｅｌｌ変更下のＲＳＴＤ測定期間についてのルール：
プライマリコンポーネントキャリア（ＰＣＣ）若しくはセカンダリコンポーネント（ＳＣＣ）キャリアに属するセル上で、又はプライマリ及びセカンダリコンポーネントキャリア上でＲＳＴＤ測定を実行中に、プライマリコンポーネントキャリアが変更されるか否かに関わらずＰＣｅｌｌが変更される場合、ユーザ機器は、進行中のＯＴＤＯＡ測定セッションを完了させる。ＰＣＣ、ＳＣＣ又はＰＣＣとＳＣＣとの双方、のいずれの上でセルが測定されているかに依存して、ユーザ機器は、プライマリ若しくはセカンダリコンポーネントキャリア又は全てのキャリアについてのＯＴＤＯＡ測定及び精度要件をも充足し得る。合計ＲＳＴＤ測定期間（ＴRSTD.E-UTRAN,PCell_change）を、次の数式に従うものとすることができる：ＴRSTD.E-UTRAN,PCell_change＝ＴRSTD.E-UTRAN＋Ｋ×（ＴPRS＋ＴPCell_change）  ｍｓ。ここで、ＫはＴRSTD.E-UTRAN,PCell_changeの期間中のＰＣｅｌｌの変更回数、ＴPCell_changeはＰＣｅｌｌの変更に起因してＲＳＴＤ測定が不可能であり得る時間であってそれは最大ｍｓであり、ＴRSTD.E-UTRANはＥ−ＵＴＲＡＮ周波数間ＲＳＴＤ測定期間に相当する。
【０１０１】
ＣＡにおけるＰＣｅｌｌ変更下のＲＳＴＤ測定精度についてのルール：
ＲＳＴＤ測定精度もまた、ＲＳＴＤ測定期間中の全てのＰＣｅｌｌのＢＷに依存し得る。例えば、一般的なルールとして、少なくとも１つのセカンダリセル（ＳＣｅｌｌ）と共に構成されている際にユーザ機器がＲＳＴＤ測定を実行中であって（プライマリキャリアが変更されるか否かに関わらず）ＰＣｅｌｌが変更されると、ユーザ機器は、ＲＳＴＤ測定期間にわたるその全てのＰＣｅｌｌの少なくとも帯域幅（即ち、チャネル／システム／送信ＢＷ）を考慮に入れることにより、ＲＳＴＤ測定精度を充足し得るものと、予め定義され得る。他の一般的なルールによれば、ＰＣｅｌｌが変更される際にユーザ機器がＲＳＴＤ測定を実行中であれば、ユーザ機器は、ＲＳＴＤ測定期間にわたるその全てのＰＣｅｌｌの少なくとも帯域幅（即ち、チャネル／システムＢＷ）に加えて、測定されるセルのＰＲＳ  ＢＷを考慮に入れることにより、ＲＳＴＤ測定精度を充足するものと、予め定義され得る。
【０１０２】
より具体的には、ユーザ機器は、少なくとも１つのＳＣｅｌｌと共に構成される場合、ＲＳＴＤ測定の期間中の全てのＰＣｅｌｌの最小のチャネル／システム／送信帯域幅よりも大きくないＰＲＳ帯域幅に対応するＲＳＴＤ測定精度を充足するように予め定義され得る。理解されるべき点として、ユーザ機器の振る舞い及び／又は現在の測定方式についての修正は、前出した［ユーザ機器の軌跡の記録化］という見出しの下で説明したように、上で識別したルール及び／又はユーザ機器により記録され記憶されるセル情報に基づいてよい。
【０１０３】
［セル変更に関連付けられる情報の使用］
セル変更に関連付けられる情報は、例えば測定又は一般的なリソース管理といった様々な目的で、様々なノードによって収集され、記憶され、及び使用され得る。ユーザ機器の、無線端末の、又は移動中継機（mobile  relay）のセル変更情報を取得し得るノードの非限定的な例は、以下の通りである：
・無線ネットワークノード  例えば、ｅＮｏｄｅＢ、無線ネットワークコントローラ、基地局、中継ノード、ドナーノードサービングリレー、移動中継ノードなど
・測位ノード  例えば、ＬＴＥにおけるＥ−ＳＭＬＣ
・一般的なネットワークノード  例えば、ＭＤＴノード、ＳＯＮノード、コアネットワークノード（例えば、ＬＴＥにおけるＭＭＥ）、ＯＳＳノード、Ｏ＆Ｍノード、ネットワーク管理及びプランニングノードなど
・テスト機器ノード／システムシミュレータ  例えば、これらはユーザ機器若しくは無線端末又は移動中継機が予め定義されたルール、シグナリング及びユーザ機器のセル変更に関連付けられる要件を遵守していることを検証するためのテストの期間中に情報を取得する
【０１０４】
上述したノードは、様々なユーザ機器についてセル変更に関連付けられる情報を収集し、例えば経時的な及び／又はユーザ機器の特定のグループについての統計を生成し得る。概して、取得されるセル変更情報は、ネットワークの「モニタリング、プランニング及び管理」のために取得したノードにより使用されることができる。より具体的には、上述したノードは、非限定的な例として提供される以下のタスクまたは機能の１つ以上のために、その結果／統計を使用し得る：
・測位（例えば、ＲＦＰＭ、パターンマッチング又はＡＥＣＩＤの向上）
・ＵＥの追跡  例えば、典型的なＵＥの経路又は加入者移動ルートを知るため
・ＳＯＮ  ネットワークパラメータの自動化されたチューニング、新たなセルの追加／既存のセルの削除、既存のセルのアップグレード（例えば、セルＢＷ又はＰＲＳ  ＢＷなどの拡張）
・ＭＤＴ  新たなＢＳサイトの設置、セルタイプの更新（例えば、ＢＳ最大出力電力の増減）などといった、ネットワークのプランニング一般
・ＨＯ最適化  例えばＨＯマージン、トリガ時間といったハンドオーバに関連するパラメータの改善
・ＣＡ構成最適化
【０１０５】
［テストケース及びテスト機器への適用可能性］
ユーザ機器の構成（又は移動中継機といった任意の無線デバイス）は、テスト機器（ＴＥ）ノードにおいても構成され得る（ａｋａシステムシミュレータ（ＳＳ））。ＴＥ又はＳＳは、テストのためにユーザ機器を構成可能とするために、セル変更に関連付けられる全ての構成方法を実装し得る。テストの目的は、ユーザ機器が予め定義されたルール、プロトコル、シグナリング及び／又はセル変更の特徴に関連付けられる要件を遵守していることを検証するためであり、その要件は例えばセル変更の期間中のユーザ機器の軌跡のトラッキング及びロギングである。
【０１０６】
ＴＥ又はＳＳは、以下が可能となるであろう：
・セル変更に関連付けられるＵＥ測定結果の受信
・例えばリファレンス結果との比較といった、受信した結果の解析
上記リファレンスは、予め定義される要件又はＵＥの振る舞いに基づくことができる。
【０１０７】
［例としてのユーザ機器の構成］
図４は、例としての実施形態のいくつかに係るユーザ機器ノード１０１の一例を示している。ユーザ機器１０１は、例えば受信ポート３０７及び送信ポート３０８といった、いかなる数の通信ポートを備えてもよい。通信ポートは、それぞれ任意の形式の通信データ３０３及び３０５を送受信するように構成され得る。理解されるべき点として、ユーザ機器１０１は、代替的に単一の送受信ポートを備えてもよい。さらに理解されるべき点として、通信あるいは送受信ポートは、本分野において知られたいかなる入力／出力通信ポートの形式であってもよい。
【０１０８】
ユーザ機器１０１は、さらに、通信ポート３０７及び／又は３０８との間で通信関係にあり得る少なくとも１つのメモリユニット３０９を備え得る。メモリユニット３０９は、任意の種類の受信され、送信され及び／若しくは測定されたデータ、並びに／又は実行可能なプログラム命令を記憶するように構成され得る。メモリユニット３０９は、いかなる適切なタイプのコンピュータ読取可能なメモリであってもよく、揮発性及び／又は不揮発性のタイプであってよい。
【０１０９】
ユーザ機器１０１は、測定を実行するように構成され得る測定ユニット３１３をも備え得る。ユーザ機器１０１は、さらに、ユーザ機器により実行される測定の性質（例えば、測定時間の時間長（duration）及び／又は測定帯域幅）を変更するように構成され得る変更ユニット３１５を備え得る。ユーザ機器１０１は、さらに、汎用処理ユニット３１１を備え得る。
【０１１０】
理解されるべき点として、測定ユニット３１３、変更ユニット３１５、及び／又は処理ユニット３１１は、例えばマイクロプロセッサ、デジタル信号プロセッサ（ＤＳＰ）、ＦＰＧＡ（field  programmable  gate  array）若しくはＡＳＩＣ（application  specific  integrated  circuit）又は任意の形式の処理回路といった、任意の適切なタイプの計算ユニットであってよい。また、理解されるべき点として、測定ユニット３１３、変更ユニット３１５、及び／又は処理ユニット３１１は、必ずしも別個のユニットとして具備されなくてもよい。測定ユニット３１３、変更ユニット３１５、及び／又は処理ユニット３１１は、単一の計算ユニットまたは任意の数のユニットとして具備されてよい。また、理解されるべき点として、ユーザ機器１００は、モバイルフォン、ＰＤＡ（Personal  Digital  Assistant）、又は無線チャネル上で基地局と通信可能な任意の他のＬＴＥネットワークユニットであってよい。
【０１１１】
［例としてのネットワークノードの構成］
図５は、例としての実施形態のいくつかに係るネットワークノードの構成の例示を提供する。いくつかの例としての実施形態において、当該ネットワークノードは、無線基地局１０３、Ｅ−ＳＭＬＣノード１１５又はＳＬＰノード１１３であってよい。
【０１１２】
ネットワークノードは、例えば受信ポート２０７及び送信ポート２０８といった、いかなる数の通信ポートを備えてもよい。通信ポートは、それぞれ任意の形式の通信データ２０３及び２０５を送受信するように構成され得る。理解されるべき点として、ネットワークノードは、代替的に単一の送受信ポートを備えてもよい。さらに理解されるべき点として、通信あるいは送受信ポートは、本分野において知られたいかなる入力／出力通信ポートの形式であってもよい。
【０１１３】
ネットワークノードは、さらに、通信ポート２０７及び／又は２０８との間で通信関係にあり得る少なくとも１つのメモリユニット２０９を備え得る。メモリユニット２０９は、任意の種類の受信され、送信され及び／若しくは測定されたデータ、並びに／又は実行可能なプログラム命令を記憶するように構成され得る。メモリユニット２０９は、いかなる適切なタイプのコンピュータ読取可能なメモリであってもよく、揮発性及び／又は不揮発性のタイプであってよい。
【０１１４】
ネットワークノードは、ユーザ機器の測定の性質を変更させるための命令（例えば、測定時間の時間長及び／又は測定帯域幅の変更）を決定するように構成され得る変更ユニット２１３をさらに備え得る。変更ユニット２１３は、セル変更に関連する情報をユーザ機器へ提供するように構成されてもよい。ネットワークノードは、さらに、汎用処理ユニット３１１を備え得る。
【０１１５】
理解されるべき点として、変更ユニット２１３及び／又は処理ユニット２１１は、例えばマイクロプロセッサ、デジタル信号プロセッサ（ＤＳＰ）、ＦＰＧＡ（field  programmable  gate  array）又はＡＳＩＣ（application  specific  integrated  circuit）といった、任意の適切なタイプの計算ユニットであってよい。また、理解されるべき点として、変更ユニット２１３及び／又は処理ユニット２１１は、必ずしも別個のユニットとして具備されなくてもよい。変更ユニット２１３及び／又は処理ユニット２１１は、単一の計算ユニットまたは任意の数のユニットとして具備されてよい。
【０１１６】
［例としてのユーザ機器の動作］
図６は、例としての実施形態のいくつかに従って図３のユーザ機器１０１により実行され得る例としての動作を示している。例としての動作は、セル変更のハンドリングを対象とする。セル変更とは、ユーザ機器１０１がその時点で置かれているセルを当該ユーザ機器が変更することをいい、例えば、第１の又はカレントセルから第２のセルへのセル変更である。理解されるべき点として、ネットワークノードは、基地局１０３、Ｅ−ＳＭＬＣノード１１５又はＳＬＰノード１１３であってよい。
【０１１７】
動作４１
ユーザ機器１０１は、少なくとも１回の測定を実行（４１）するように構成される。測定ユニット３１３が、少なくとも１回の測定を実行（４１）するように構成される。例としての実施形態のいくつかによれば、少なくとも１回の測定は、ＯＴＤＯＡ測位のためのＲＳＴＤ測定、ＲＳＲＰ、ＲＳＲＱ、及び／又はユーザ機器Ｒｘ−Ｔｘ時間差測定であってよい。
【０１１８】
動作４３
ユーザ機器１０１は、ネットワークノードから、第１のセルから第２のセルへのセル変更の通知及び当該セル変更に関連付けられる情報を受信（４３）するようにさらに構成される。受信ポート３０７が、セル変更の通知及び当該セル変更に関連付けられる情報を受信するように構成される。
【０１１９】
いくつかの例としての実施形態によれば、セル変更は、サービングセルの変更、サービングセルセットの変更、アクティブセルセットの変更、同じ周波数キャリア上のＰＣｅｌｌの変更、又はキャリアスイッチングに起因するセル変更であってよい。例としての実施形態のいくつかによれば、セル変更は、ハンドオーバ手続、セル再選択、無線リソース制御（ＲＲＣ）接続再確立、ターゲットセルへのリダイレクトを伴うＲＲＣ接続解放、マルチキャリアシステム内のプライマリコンポーネントキャリア（ＰＣＣ）と同一周波数上のプライマリセル（ＰＣｅｌｌ）の変更、マルチキャリアシステム内のＰＣＣの変更に起因するＰＣｅｌｌの変更、マルチキャリアシステム内のサービングセルセットの変更、又はマルチキャリアシステム内のアクティブセルセットの変更、のいずれか１つの結果であってよい。例としての実施形態のいくつかによれば、第１のセルは第１の期間内のサービングセルであってよく、第２のセルは第２の期間内のサービングセルであってよく、第２の期間は第１の期間の時間的に後に生じる。
【０１２０】
いくつかの例としての実施形態によれば、セル変更に関連付けられる受信される情報は、実行されるべき測定のタイプ、報告のためのセル識別のタイプ、及び／又は帯域幅情報を含み得る。例としての実施形態のいくつかによれば、受信される通知及び／又はセル変更に関連付けられる受信される情報は、要求後に受信され、及び／又はプログラム可能であり得る設定に基づいて周期的に受信される。
【０１２１】
動作４５
ユーザ機器は、少なくとも１回の測定の間に、セル変更を実行（４５）するようにも構成される。測定ユニット３１３が、少なくとも１回の測定の間にセル変更を実行するようにも構成される。
【０１２２】
動作４７
ユーザ機器は、少なくとも１回の測定が実行される測定時間の時間長を変更（４７）するようにも構成される。変更ユニット３１５が、少なくとも１回の測定が実行される測定時間の時間長を変更するように構成される。
【０１２３】
理解されるべき点として、変更（４７）は、ユーザ機器に関連付けられるルールに基づいて実行されてよい。例えば、ユーザ機器に関連付けられるルールは、ユーザ機器の内部に提供される予め定義されるルールであってよい。さらに理解されるべき点として、当該ルールは、調整可能又はユーザによりプログラム可能であってよい。さらに、理解されるべき点として、当該ルールは、ネットワークノードによって、セル変更に関連付けられる情報及び／又は受信される通知と共に提供されてもよい。
【０１２４】
動作４９
ユーザ機器は、少なくとも１回の測定の測定帯域幅を変更（４９）するようにも構成され、その変更は、第１のセル及び第２のセルの関連付けられる帯域幅に基づく。変更ユニット３１５が、第１のセル及び第２のセルの関連付けられる帯域幅に基づいて、少なくとも１回の測定の測定帯域幅を変更するように構成される。
【０１２５】
理解されるべき点として、変更（４９）は、ユーザ機器に関連付けられるルールに基づいて実行され得る。例えば、ユーザ機器に関連付けられるルールは、ユーザ機器の内部に提供される予め定義されるルールであってよい。さらに理解されるべき点として、当該ルールは、調整可能又はユーザによりプログラム可能であってよい。さらに、理解されるべき点として、当該ルールは、ネットワークノードによって、セル変更に関連付けられる情報及び／又は受信される通知と共に提供されてもよい。
【０１２６】
例としての動作５５
例としての実施形態のいくつかによれば、変更（４９）は、さらに、第１のセル及び第２のセルの帯域幅の最小値、並びに／又は第１のセル及び第２のセルの帯域幅よりも大きくない帯域幅、のうち少なくとも１つへ測定帯域幅を変更（５５）することを含み得る。変更ユニット３１５が、第１のセル及び第２のセルの帯域幅の最小値、並びに／又は第１のセル及び第２のセルの帯域幅よりも大きくない帯域幅、のうち少なくとも１つへ測定帯域幅を変更するように構成されてもよい。
【０１２７】
例としての実施形態のいくつかによれば、第１の又は第２のセルの帯域幅は、チャネル帯域幅又は送信帯域幅であってもよい。例としての実施形態のいくつかによれば、測定帯域幅は、測定されるべきリファレンス信号の帯域幅であってもよい。例としての実施形態のいくつかによれば、リファレンス信号は測位リファレンス信号（ＰＲＳ）であってよく、測定帯域幅はＰＲＳ帯域幅であってよい。
【０１２８】
動作５７
ユーザ機器は、測定時間の変更された時間長と変更された測定帯域幅とに基づいて、少なくとも１回の測定を完了（５７）させるようにさらに構成される。測定ユニット３１３が、測定時間の変更された時間長と変更された測定帯域幅とに基づいて、少なくとも１回の測定を完了させるように構成され得る。
【０１２９】
例としての動作６１
例としての実施形態のいくつかによれば、ユーザ機器は、少なくとも１回の測定の結果にタイムスタンプを付加（６１）するように構成され得る。測定ユニット３１３が、少なくとも１回の測定の結果にタイムスタンプを付加するように構成され得る。
【０１３０】
例としての動作６３
例としての実施形態のいくつかによれば、ユーザ機器は、第１のセルの第２のセルへのセル変更に関連付けられる、編集される情報（compiled  information）を記憶（６３）するように構成され得る。編集される当該情報は、ユーザ機器により提供される。メモリユニット３０９が、第１のセルの第２のセルへのセル変更に関連付けられる、ユーザ機器により提供される編集される情報を記憶するように構成されてよい。
【０１３１】
例としての実施形態のいくつかによれば、第１のセルの第２のセルへの変更に関連付けられる編集される情報は、ユーザ機器の軌跡情報を含み得る。ユーザ機器の軌跡データは、ある期間の間ユーザ機器が接続され及び／若しくは滞在したセルのセルアイデンティティの順序化された若しくは順序化されていないリスト、並びに／又はセル情報を含み得る。セル情報は、各サービングセルのキャリア周波数、システム帯域幅、測定帯域幅及び／若しくはセルタイプを含み得る。
【０１３２】
例としての動作６５
例としての実施形態のいくつかによれば、ユーザ機器は、編集される上記情報をネットワークノード又は他のユーザ機器へ送信（６５）するように構成され得る。送信ポート３０８が、編集される上記情報をネットワークノード又は他のユーザ機器へ送信するように構成され得る。
【０１３３】
例としての動作６７
例としての実施形態のいくつかによれば、ユーザ機器は、変更される測定時間の時間長及び変更される測定帯域幅を基準として、少なくとも１回の測定の測定精度を調整（６７）するように構成され得る。変更ユニット３１５が、変更される測定時間の時間長及び変更される測定帯域幅を基準として、少なくとも１回の測定の測定精度を調整するように構成され得る。
【０１３４】
［例としてのネットワークノードの動作］
図７は、例としての実施形態のいくつかに従って図４のネットワークノードにより実行され得る例としての動作を示している。例としての動作は、ユーザ機器についてのセル変更のハンドリングを対象とする。セル変更とは、ユーザ機器１０１がその時点で置かれているセルを当該ユーザ機器が変更することをいい、例えば、第１の又はカレントセルから第２のセルへのセル変更である。理解されるべき点として、ネットワークノードは、基地局１０３、Ｅ−ＳＭＬＣノード１１５又はＳＬＰノード１１３であってよい。
【０１３５】
動作７１
ネットワークノードは、ユーザ機器へ、少なくとも１回の測定を実行させるための要求を送信（７１）するように構成される。送信ポート２０８が、少なくとも１回の測定を実行させるための要求をユーザ機器へ送信するように構成される構成される。
【０１３６】
例としての実施形態のいくつかによれば、少なくとも１回の測定は、ＯＴＤＯＡ測位のためのＲＳＴＤ測定、ＲＳＲＰ、ＲＳＲＱ、及び／又はユーザ機器Ｒｘ−Ｔｘ時間差測定であってよい。
【０１３７】
動作７３
ネットワークノードは、第１のセルから第２のセルへのセル変更に関連付けられる情報を決定（７３）するようにさらに構成され、当該セル変更に関連付けられる情報は、セル変更が行われる際のユーザ機器の測定時間及び測定帯域幅を変更させるための変更指示を含む。変更ユニット２１３が、第１のセルから第２のセルへのセル変更に関連付けられる情報を決定するように構成される。
【０１３８】
いくつかの例としての実施形態によれば、セル変更は、サービングセルの変更、サービングセルセットの変更、アクティブセルセットの変更、同じ周波数キャリア上のＰＣｅｌｌの変更、又はキャリアスイッチングに起因するセル変更であってよい。例としての実施形態のいくつかによれば、セル変更は、ハンドオーバ手続、セル再選択、無線リソース制御（ＲＲＣ）接続再確立、ターゲットセルへのリダイレクトを伴うＲＲＣ接続解放、マルチキャリアシステム内のプライマリコンポーネントキャリア（ＰＣＣ）と同一周波数上のプライマリセル（ＰＣｅｌｌ）の変更、マルチキャリアシステム内のＰＣＣの変更に起因するＰＣｅｌｌの変更、マルチキャリアシステム内のサービングセルセットの変更、又はマルチキャリアシステム内のアクティブセルセットの変更、のいずれか１つの結果であってよい。例としての実施形態のいくつかによれば、第１のセルは第１の期間内のサービングセルであってよく、第２のセルは第２の期間内のサービングセルであってよく、第２の期間は第１の期間の時間的に後に生じる。
【０１３９】
動作７５
ネットワークノードは、ユーザ機器へ、セル変更の通知と、当該セル変更に関連付けられる情報とを送信（７５）するようにさらに構成される。セル変更に関連付けられる当該情報は、変更のための指示を含む。送信ポート２０８が、ユーザ機器へ、セル変更の通知と、当該セル変更に関連付けられる情報とを送信するように構成される。
【０１４０】
例としての実施形態のいくつかによれば、変更させるための指示は、変更される測定時間及び／又は変更される測定帯域幅を決定させるための指示を含み、変更させるための当該指示は、予め定義されたルールに基づく。例としての実施形態のいくつかによれば、変更させるための当該指示は、第１のセル及び第２のセルの帯域幅の最小値、並びに／又は第１のセル及び第２のセルの帯域幅よりも大きくない帯域幅、のうち少なくとも１つへ測定帯域幅を変更させるための指示を含む。いくつかの例としての実施形態において、第１の又は第２のセルの帯域幅は、チャネル帯域幅又は送信帯域幅である。いくつかの例としての実施形態において、測定帯域幅は、測定されるべきリファレンス信号の帯域幅である。いくつかの例としての実施形態において、リファレンス信号は測位リファレンス信号（ＰＲＳ）であり、測定帯域幅はＰＲＳ帯域幅である。
【０１４１】
動作８１
ネットワークノードは、ユーザ機器から測定データを受信（８１）するようにも構成され、当該測定データは、測定時間の変更された時間長と変更された測定帯域幅とにわたって実行された少なくとも１回の他の測定の値（measurement）を含む。測定時間の変更された時間長及び変更された測定帯域幅は、第１のセル及び第２のセルに関連付けられる帯域幅に基づく。受信ポート２０７が、ユーザ機器から測定データを受信するように構成される。
【０１４２】
例としての動作８３
例としての実施形態のいくつかによれば、ネットワークノードは、受信される測定データに基づいて、変更される測定指示を送信（８３）するように構成されてもよい。送信ポート２０８が、受信される測定データに基づいて変更される測定指示を送信するように構成され得る。
【０１４３】
例としての実施形態のいくつかによれば、変更される測定指示は、変更される測定時間の時間長及び変更される測定帯域幅を基準として、少なくとも１回の測定の測定精度を調整させるための指示を含み得る。
【０１４４】
［まとめ］
ここで説明した実施形態は、明確に述べられていない限り、特定の測定に限定されない。例としての実施形態において説明したシグナリングは、ダイレクトリンク（プロトコル若しくは物理チャネル）又は論理リンクのいずれかを介する（例えば、上位レイヤのプロトコルを介して、及び／若しくは１つ以上のネットワークノードを介する）。例えば、ＬＴＥにおいて、Ｅ−ＳＭＬＣとＬＣＳクライアントとの間のシグナリングのケースでは、測位結果は、複数のノードを介して（少なくともＭＭＥ及び／又はＧＭＬＣを介して）転送され得る。
【０１４５】
本説明は主にユーザ機器について与えられたが、“ユーザ機器”は典型的にはＤＬにおいて受信可能でＵＬにおいて送信可能な任意の無線デバイス又はノードを意味する非限定的な用語であると、当業者により理解されるべきである（例えば、ＰＤＡ、ラップトップ、モバイル、センサ、固定中継機、移動中継機、又はフェムト基地局といった無線基地局であってさえよい）。例としての実施形態は、非ＣＡ  ＵＥに、又はギャップ無しで周波数間測定を実行することが可能な及び不可能なユーザ機器の双方に応用されてよく、キャリアアグリゲーションが可能なユーザ機器も含む。
【０１４６】
様々な実施形態において説明された測位ノードは、測位の機能性を伴うノードである。例えば、ＬＴＥについて、それはユーザプレーン内の測位プラットフォーム（例えば、ＬＴＥにおけるＳＬＰ）又は制御プレーン内の測位ノード（例えば、ＬＴＥにおけるＥ−ＳＭＬＣ）として理解されてよい。また、ＳＬＰはＳＬＣ及びＳＰＣから成ってよく、ＳＰＣはＥ−ＳＭＬＣとの間の専用インタフェースをも有し得る。テスト環境では、少なくとも測位ノードがテスト機器によりシミュレーションされ又はエミュレートされ得る。
【０１４７】
セルは無線ノードに関連付けられ、例としての実施形態の説明において互換可能に用いられる無線ノード、無線ネットワークノード又はｅＮｏｄｅＢは、一般的な意味で測定のために使用される無線信号を送信する任意のノードを含み、それは例えばｅＮｏｄｅＢ、マクロ／マイクロ／ピコ基地局、ホームｅＮｏｄｅＢ、中継機、ビーコンデバイス又はリピータなどである。ここでの無線ノードは、１つ以上の周波数又は周波数帯において動作する無線ノードを含み得る。ＣＡが可能な無線ノードであってもよい。シングル又はマルチＲＡＴノードであってもよい。マルチＲＡＴノードは、コロケーテッドＲＡＴを有し若しくはマルチ標準無線（ＭＳＲ）をサポートするノード、又は混合無線ノードを含み得る。
【０１４８】
ネットワーク内に、他のネットワーク若しくは無線ネットワークノードとの協調を行い、及び／又はセル変更に関連付けられる情報若しくは協調メッセージを送受信する協調ノード（coordinating  node）が存在してもよい。協調ノードの役割を演じ得る例としてのノードは、少なくとも部分的に、ＳＯＮノード、ＭＤＴノード、測位ノード、Ｏ＆Ｍノードなどである。
【０１４９】
例としての実施形態は、ＬＴＥに限定されず、任意のＲＡＮ、シングル又はマルチＲＡＴに応用され得る。いくつかの他のＲＡＴの例は、ＬＴＥアドバンスト、ＵＭＴＳ、ＨＳＰＡ、ＧＳＭ、ｃｄｍａ２０００、ＨＲＰＤ、ＷｉＭＡＸ及びＷｉＦｉである。
【０１５０】
例としての実施形態の上述した説明が例示及び説明の目的で提示された。上述した説明は、網羅的であることや開示された厳密な形式に例としての実施形態を限定するものであることを意図しない。修正及び変形が、上の教示を踏まえて可能であり、提供された実施形態に対する多様な代替手段の実践から取得され得る。ここで議論された例は、多様な例としての実施形態の原理及び性質並びにその実践的な応用を説明して、特定の用途に適するように熟慮されて多様なやり方で多様な修正と共に当業者が例としての実施形態を利用できるようにするために、選択され説明された。ここで説明された実施形態の特徴は、方法、装置、モジュール、システム及びコンピュータプログラムプロダクトの全ての可能な組合せで組み合わされてよい。理解されるべき点として、ここで提示された例としての実施形態のいずれも、互いに連動して又は任意に組み合わされて使用されてよい。
【０１５１】
留意されるべき点として、“comprising”（備える／含む）との語は、列挙されるものとは別のエレメント又はステップの存在を必ずしも排除せず、エレメントに先行する“a”又は“an”との語は当該エレメントの複数の存在を排除しない。さらに留意されるべき点として、いかなる参照符号も請求項の範囲を限定せず、例としての実施形態はハードウェア及びソフトウェアの双方の手段で少なくとも部分的に実装されてよく、複数の“手段”、“ユニット”又は“デバイス”がハードウェアの同じ品目によって表現されてよい。
【０１５２】
いくつかの例としての実施形態は、ポータブルな若しくは非ポータブルな電話、メディアプレーヤ、ＰＣＳ（Personal  Communications  System）端末、ＰＤＡ（Personal  Data  Assistant）、ラップトップコンピュータ、パームトップ受信機、カメラ、テレビジョン、並びに／又は、無線信号、テレビジョン信号、マイクロ波信号、電話信号及び／若しくはレーダー信号を送受信するように設計された送受信器を備える任意のアプライアンスを含み得る。
【０１５３】
ここで説明された多様な例としての実施形態は、方法のステップ群又はプロセス群の一般的な文脈において説明されており、ある観点においてそれは、プログラムコードなどのコンピュータにより実行可能な命令を含むコンピュータ読取可能な媒体において具現化され、ネットワーク接続された環境内のコンピュータにより実行される、コンピュータプログラムプロダクトによって実装され得る。コンピュータ読取可能な媒体はリムーバブルな及び非リムーバブルな記憶デバイスを含んでよく、当該記憶デバイスは、限定ではないものの、ＲＯＭ（Read  Only  Memory）、ＲＡＭ（Random  Access  Memory）、ＣＤ（compact  discs）、ＤＶＤ（digital  versatile  discs）などを含む。概して、プログラムモジュールは、特定のタスクを実行し又は特定の抽象的なデータタイプを実装する、ルーチン、プログラム、オブジェクト、コンポーネント、データ構造などを含み得る。コンピュータにより実行可能な命令、関連付けられるデータ構造及びプログラムモジュールは、ここで開示された方法のステップ群を実行するためのプログラムコードの例を表現する。そうした実行可能な命令の特定のシーケンス又は関連付けられるデータ構造は、当該ステップ群又はプロセス群において記述される機能を実装するための対応する動作の例を表現する。
【０１５４】
図面及び明細書において、例示的な実施形態が開示された。しかしながら、それら実施形態に対して多くのバリエーション及び修正例をなすことができる。さらに、ここで提示された例としての実施形態は、互いにいかなる組合せで使用されてもよいことが理解されるべきである。従って、特定の用語が採用されているものの、それらは汎用的かつ説明的な意味のみにおいて使用されており、限定の目的で使用されておらず、実施形態の範囲は以下の特許請求の範囲によって定義される。
【図１】
0006006305.tif 000002
【図２】
0006006305.tif 000003
【図３】
0006006305.tif 000004
【図４】
0006006305.tif 000005
【図５】
0006006305.tif 000006
【図６】
0006006305.tif 000007
【図７】
0006006305.tif 000008